(57)【要約】  ネットワークノード、ワイヤレスデバイス、基地局、ユーザ機器及び対応する方法が提供される。上記ネットワークノードは、処理回路を備え、上記処理回路は、サブフレーム内のリファレンス信号リソースの第１のセット及び第２のセットを選択し、上記サブフレーム内のリファレンス信号リソースの第１のセット及び第２のセットを統合して、符号分割多重（ＣＤＭ）統合構成を形成する、ように構成される。上記サブフレーム内のリファレンス信号リソースの第１のセット及び第２のセットは、リファレンス信号リソースの第１のセット及び第２のセット内のどの２つのリソースエレメントも６ＯＦＤＭシンボルまでの最大時間間隔を有することになる時間的基準を充足する。上記サブフレーム内のリファレンス信号リソースの第１のセット及び第２のセットは、リファレンス信号リソースの第１のセット及び第２のセット内のどの２つのリソースエレメントも６サブキャリアまでの最大周波数間隔を有することになる周波数的基準を充足する。
2020502848.tif 000002
【特許請求の範囲】
【請求項１】
ネットワークノード（１４）であって、
処理回路（１８）を備え、前記処理回路（１８）は、
サブフレーム内のリファレンス信号リソースの第１のセット及び第２のセットを選択し、
前記サブフレーム内のリファレンス信号リソースの前記第１のセット及び前記第２のセットを統合して、符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ネットワークノード（１４）。
【請求項２】
請求項１のネットワークノード（１４）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ネットワークノード（１４）。
【請求項３】
請求項２のネットワークノード（１４）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ネットワークノード（１４）。
【請求項４】
請求項１〜３のいずれか１項のネットワークノード（１４）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ネットワークノード（１４）。
【請求項５】
請求項１〜４のいずれか１項のネットワークノード（１４）であって、
前記処理回路（２８）は、前記ＣＤＭ統合構成をワイヤレスデバイス（１２）へ通信する、ようにさらに構成される、ネットワークノード（１４）。
【請求項６】
請求項１〜５のいずれか１項のネットワークノード（１４）であって、
前記ＣＤＭ統合構成は、２つのＣＤＭ−４グループの統合である、ネットワークノード（１４）。
【請求項７】
方法であって、
サブフレーム内のリファレンス信号リソースの第１のセット及び第２のセットを選択すること（Ｓ１００）と、
リファレンス信号リソースの前記第１のセット及び前記第２のセットを前記サブフレームへ統合して、符号分割多重（ＣＤＭ）統合構成を形成すること（Ｓ１０２）と、を含み、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項８】
請求項７の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項９】
請求項８の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項１０】
請求項７〜９のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項１１】
請求項７〜１０のいずれか１項の方法であって、前記ＣＤＭ統合構成をワイヤレスデバイス（１２）へ通信すること、をさらに含む、方法。
【請求項１２】
請求項７〜１１のいずれか１項のネットワークノードであって、
前記ＣＤＭ統合構成は、２つのＣＤＭ−４グループの統合である、ネットワークノード。
【請求項１３】
ワイヤレスデバイス（１２）であって、
処理回路（２８）を備え、前記処理回路（２８）は、
サブフレーム内のリファレンス信号リソースの統合された第１のセット及び第２のセットに対応するＣＤＭ統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ワイヤレスデバイス（１２）。
【請求項１４】
請求項１３のワイヤレスデバイス（１２）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ワイヤレスデバイス（１２）。
【請求項１５】
請求項１４のワイヤレスデバイス（１２）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ワイヤレスデバイス（１２）。
【請求項１６】
請求項１３〜１５のいずれか１項のワイヤレスデバイス（１２）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ワイヤレスデバイス（１２）。
【請求項１７】
請求項１３〜１６のいずれかのワイヤレスデバイス（１２）であって、
前記処理回路（２８）は、前記サブフレーム内のリファレンス信号リソースの選択される前記第１のセット及び前記第２のセットを複数のアンテナポートへマッピングする、ようにさらに構成される、ワイヤレスデバイス（１２）。
【請求項１８】
請求項１３〜１７のいずれか１項のワイヤレスデバイス（１２）であって、
前記ＣＤＭ統合構成は、２つのＣＤＭ−４グループの統合である、ワイヤレスデバイス（１２）。
【請求項１９】
ワイヤレスデバイス（１２）のための方法であって、
リファレンス信号リソースの第１のセット及び第２のセットである、サブフレーム内のリファレンス信号リソースの統合された第１のセット及び第２のセットに対応するＣＤＭ統合構成を受信すること（Ｓ１０４）と、
前記ＣＤＭ統合構成に基づいて、チャネル推定を実行すること（Ｓ１０６）と、を含み、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項２０】
請求項１９の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項２１】
請求項２０の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項２２】
請求項１９〜２１のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項２３】
請求項１９〜２２のいずれか１項の方法であって、
前記ＣＤＭ統合構成は、２つのＣＤＭ−４グループの統合である、方法。
【請求項２４】
請求項１９〜２３のいずれかの方法であって、前記サブフレーム内のリファレンス信号リソースの選択される前記第１のセット及び前記第２のセットを複数のアンテナポートへマッピングこと、をさらに含む、方法。
【請求項２５】
ネットワークノード（１４）であって、
統合処理モジュール、を備え、前記統合処理モジュールは、
サブフレーム内のリファレンス信号リソースの第１のセット及び第２のセットを選択し、
リファレンス信号リソースの前記第１のセット及び前記第２のセットを前記サブフレームへ統合して、符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ネットワークノード（１４）。
【請求項２６】
ワイヤレスデバイス（１４）であって、
チャネル処理モジュール、を備え、前記チャネル処理モジュールは、
サブフレーム内のリファレンス信号リソースの統合された第１のセット及び第２のセットに対応するＣＤＭ統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ワイヤレスデバイス（１４）。
【請求項２７】
請求項１〜６のいずれかのネットワークノード（１４）であって、
前記処理回路（２８）は、前記ＣＤＭ統合構成をワイヤレスデバイス（１２）へ通信する、ようにさらに構成される、ネットワークノード（１４）。
【請求項２８】
請求項７〜１２のいずれかの方法であって、前記ＣＤＭ統合構成をワイヤレスデバイス（１２）へ通信すること、をさらに含む、方法。
【請求項２９】
基地局（１４）であって、
処理回路（１８）を備え、前記処理回路（１８）は、
サブフレーム内のリファレンス信号リソースの第１のセット及び第２のセットを選択し、
前記サブフレーム内のリファレンス信号リソースの前記第１のセット及び前記第２のセットを統合して、符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、基地局（１４）。
【請求項３０】
請求項２９の基地局（１４）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、基地局（１４）。
【請求項３１】
請求項３０の基地局（１４）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、基地局（１４）。
【請求項３２】
請求項２９〜３１のいずれか１項の基地局（１４）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、基地局（１４）。
【請求項３３】
請求項２９〜３２のいずれか１項の基地局（１４）であって、
前記処理回路（２８）は、前記ＣＤＭ統合構成をユーザ機器（１２）へ通信する、ようにさらに構成される、基地局（１４）。
【請求項３４】
請求項２９〜３３のいずれか１項の基地局（１４）であって、
前記ＣＤＭ統合構成は、２つのＣＤＭ−４グループの統合である、基地局（１４）。
【請求項３５】
基地局（１４）のための方法であって、
サブフレーム内のリファレンス信号リソースの第１のセット及び第２のセットを選択すること（Ｓ１００）と、
リファレンス信号リソースの前記第１のセット及び前記第２のセットを前記サブフレームへ統合して、符号分割多重（ＣＤＭ）統合構成を形成すること（Ｓ１０２）と、を含み、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項３６】
請求項３５の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項３７】
請求項３６の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項３８】
請求項３５〜３７のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項３９】
請求項３５〜３８のいずれか１項の方法であって、前記ＣＤＭ統合構成をユーザ機器（１２）へ通信すること、をさらに含む、方法。
【請求項４０】
請求項３５〜３９のいずれか１項の方法であって、
前記ＣＤＭ統合構成は、２つのＣＤＭ−４グループの統合である、方法。
【請求項４１】
ユーザ機器（１２）であって、
処理回路（２８）を備え、前記処理回路（２８）は、
サブフレーム内のリファレンス信号リソースの統合された第１のセット及び第２のセットに対応するＣＤＭ統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ユーザ機器（１２）。
【請求項４２】
請求項４１のユーザ機器（１２）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ユーザ機器（１２）。
【請求項４３】
請求項４２のユーザ機器（１２）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ユーザ機器（１２）。
【請求項４４】
請求項４１〜４３のいずれか１項のユーザ機器（１２）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ユーザ機器（１２）。
【請求項４５】
請求項４１〜４４のいずれかのユーザ機器（１２）であって、
前記処理回路（２８）は、前記サブフレーム内のリファレンス信号リソースの選択される前記第１のセット及び前記第２のセットを複数のアンテナポートへマッピングする、ようにさらに構成される、ユーザ機器（１２）。
【請求項４６】
請求項４１〜４５のいずれか１項のユーザ機器（１２）であって、
前記ＣＤＭ統合構成は、２つのＣＤＭ−４グループの統合である、ユーザ機器（１２）。
【請求項４７】
ユーザ機器（１２）のための方法であって、
リファレンス信号リソースの第１のセット及び第２のセットである、サブフレーム内のリファレンス信号リソースの統合された第１のセット及び第２のセットに対応するＣＤＭ統合構成を受信すること（Ｓ１０４）と、
前記ＣＤＭ統合構成に基づいて、チャネル推定を実行すること（Ｓ１０６）と、を含み、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項４８】
請求項４７の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項４９】
請求項４８の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項５０】
請求項４７〜４９のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項５１】
請求項４７〜５０のいずれか１項の方法であって、
前記ＣＤＭ統合構成は、２つのＣＤＭ−４グループの統合である、方法。
【請求項５２】
請求項４７〜５１のいずれかの方法であって、前記サブフレーム内のリファレンス信号リソースの選択される前記第１のセット及び前記第２のセットを複数のアンテナポートへマッピングこと、をさらに含む、方法。
【請求項５３】
基地局（１４）であって、
統合処理モジュール、を備え、前記統合処理モジュールは、
サブフレーム内のリファレンス信号リソースの第１のセット及び第２のセットを選択し、
リファレンス信号リソースの前記第１のセット及び前記第２のセットを前記サブフレームへ統合して、符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、基地局（１４）。
【請求項５４】
ユーザ機器（１４）であって、
チャネル処理モジュール、を備え、前記チャネル処理モジュールは、
リファレンス信号リソースの第１のセット及び第２のセットである、サブフレーム内のリファレンス信号リソースの統合された第１のセット及び第２のセットに対応するＣＤＭ統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ユーザ機器（１４）。
【請求項５５】
請求項２９〜３４のいずれかの基地局（１４）であって、
前記処理回路（２８）は、前記ＣＤＭ統合構成をユーザ機器（１２）へ通信する、ようにさらに構成される、基地局（１４）。
【請求項５６】
請求項３５〜４０のいずれかの方法であって、前記ＣＤＭ統合構成をユーザ機器（１２）へ通信すること、をさらに含む、方法。
【発明の詳細な説明】
【技術分野】
【０００１】
ワイヤレス通信であって、具体的には、ワイヤレス通信におけるチャネル変動に起因する性能ロスを低減するための、符号分割多重（ＣＤＭ）統合構成に関する。
【背景技術】
【０００２】
ＬＴＥ（Long  Term  Evolution）は、ダウンリンクにおいて直交周波数分割多重（ＯＦＤＭ）を、アップリンクにおいて離散フーリエ変換（ＤＦＴ）拡散ＯＦＤＭを使用する。基本的なＬＴＥのダウンリンク物理リソースを、よって、図１に示したような時間−周波数グリッドとして見ることができ、各リソースエレメントは１つのＯＦＤＭシンボルインターバルの期間中の１つのＯＦＤＭサブキャリアに相当する。さらに、図２に示したように、時間ドメインにおいて、ＬＴＥのダウンリンク送信は、１０ｍｓの無線フレームへと編成され、各無線フレームは、長さＴｓｕｂｆｒａｍｅ＝１ｍｓで等サイズの１０個のサブフレームからなる。
【０００３】
さらに、ＬＴＥにおけるリソース割り当ては、典型的にはリソースブロックの観点で記述され、１リソースブロックは、時間ドメインにおける１スロット（０．５ｍｓ）及び周波数ドメインにおける１２個の連続したサブキャリアに相当する。リソースブロックは、周波数ドメインにおいて、システム帯域幅の一端から０で始まる形で付番される。ダウンリンク送信は動的にスケジューリングされ、即ち、各サブフレームにおいて、ネットワークノードは、その時点のダウンリンクサブフレームにおいてどの端末がデータの送信先であり及びどのリソースブロック上でデータが送信されるかに関する制御情報を送信する。この制御シグナリングは、典型的には、各サブフレーム内の最初から１、２、３又は４個のＯＦＤＭシンボルにおいて送信される。制御として３つのＯＦＤＭシンボルを伴うダウンリンクシステムが、ダウンリンクサブフレームを示す図３に示されている。
【０００４】
［符号ブックベースのプリコーディング］
マルチアンテナの技法は、ワイヤレス通信システムのデータレート及び信頼性を有意に増加させることができる。その性能は、送信機及び受信機の双方が多重的なアンテナを具備する場合に特に改善され、これは複数入力複数出力（ＭＩＭＯ）通信チャネルに帰結する。そうしたシステム及び／又は関連する技法は、通常、ＭＩＭＯとして言及される。ＬＴＥ標準は、現在のところ、拡張されたＭＩＭＯのサポートと共に進化しつつある。ＬＴＥにおける核となるコンポーネントは、ＭＩＭＯアンテナ配備のサポート及びＭＩＭＯ関連の技法である。現在のところ、ＬＴＥアドバンストは、チャネル依存のプリコーディングと共に、８つの送信アンテナポートについて８レイヤの空間多重化モードをサポートしている。ＬＴＥアドバンストプロは、チャネル依存のプリコーディングと共に、８／１２／１６個の送信アンテナポートで２Ｄ（２次元）／１Ｄ（１次元）のポートレイアウトについての８レイヤの空間多重化のサポートを加える。ＬＴＥリリース１４では、２０／２４／２８／３２個の送信アンテナポートで２Ｄ／１Ｄのポートレイアウトについての８レイヤの空間多重化についてのサポートが規格化されつつある。空間多重化モードは、好ましいチャネル条件における高いデータレートを狙っている。図４に空間多重化動作の様子が提供され、ＬＴＥにおけるプリコーデッド空間多重化モードの送信構造が示されている。
【０００５】
図４に見られるように、情報搬送シンボルベクトルｓに、ＮＴ×ｒのプリコーダ行列Ｗが乗算され、それが（ＮＴ個のアンテナポートに対応する）ＮＴ次元のベクトル空間のサブ空間内で送信エネルギーを分配する働きをする。プリコーダ行列は、典型的には、プリコーダ行列候補の符号ブックから選択され、典型的には、プリコーダ行列インジケータ（ＰＭＩ）によって指し示され、ＰＭＩは、所与の数のシンボルストリームのための上記符号ブック内の一意なプリコーダ行列を特定する。ｓ内のｒ個のシンボルは、各々がレイヤに相当し、ｒは送信ランクとして言及される。この手法で、同一の時間／周波数リソースエレメント（ＴＦＲＥ）上で同時に複数のシンボルを送信できることから、空間多重化が達成される。シンボル数ｒは、典型的には、現行のチャネル特性に適するように適応化される。
【０００６】
ＬＴＥは、ダウンリンクにおいてＯＦＤＭを（及びアップリンクにおいてＤＦＴプリコーデッドＯＦＤＭを）使用し、そこで、サブキャリアｎ上のあるＴＦＲＥ（又は代替的にデータＴＦＲＥ番号ｎ）についての受信されるＮＲ×１ベクトルｙｎは、よって、次のようにモデル化される
ｙｎ＝ＨｎＷｓｎ＋ｅｎ        式１
ここで、ｅｎは、雑音／干渉ベクトルである。プリコーダＷは、広帯域プリコーダであることができ、これは周波数にわたって一定であるか又は周波数選択的である。
【０００７】
プリコーダ行列は、ＮＲ×ＮＴのＭＩＭＯチャネル行列Ｈｎの特徴に合うように選択されることが多く、いわゆるチャネル依存プリコーディングに帰結する。これは、通常、閉ループプリコーディングとしても言及され、本質的には、送信されるエネルギーの多くをＵＥへ伝達するという意味において強いサブ空間へ、送信エネルギーを集中させることを追求する。加えて、プリコーダ行列は、チャネルを直交化することを追求するためにも選択されてよく、これは、ＵＥにおける適切な線形等化後にレイヤ間干渉が低減されることを意味する。
【０００８】
送信ランク、よって空間多重化されるレイヤの数は、プリコーダの列の数に反映される。効率的な性能のために、チャネル特性に合った送信ランクを選択することが重要である。
【０００９】
［２Ｄアンテナアレイ］
３ＧＰＰ（Third  Generation  Partnership  Project）における検討は、各アンテナエレメントが独立的な位相及び振幅の制御を有し、それにより垂直次元及び水平次元の双方においてビーム形成を可能にする、２次元アンテナアレイの議論へと進んでいる。そうしたアンテナアレイは、水平次元に対応するアンテナ列の数Ｎｈ、垂直次元に対応するアンテナ行の数Ｎｖ、及び異なる偏波に対応する次元の数Ｎｐにより（部分的に）記述され得る。アンテナエレメントの合計数は、よって、Ｎ＝ＮｈＮｖＮｐである。次の図５に、Ｎｈ＝８かつＮｖ＝４であるアンテナの一例が示されている。こうしたアンテナを、交差偏波アンテナエレメントを伴う８ｘ４アンテナアレイと称することとする。
【００１０】
しかしながら、標準化の視点からは、アンテナアレイ内のエレメントの実際の数はワイヤレスデバイスにとって可視的ではなく、むしろそれはアンテナポートであり、各ポートは、以下にさらに説明するチャネル状態情報（ＣＳＩ）リファレンス信号に対応する。そのため、ワイヤレスデバイスは、それらポートの各々からのチャネルを測定し得る。したがって、水平次元におけるアンテナポートの数Ｍｈ、垂直次元に対応するアンテナ行の数Ｍｖ、及び異なる偏波に対応する次元の数Ｍｐにより記述される、２Ｄポートレイアウトが導入される。アンテナポートの合計数は、よって、Ｍ＝ＭｈＭｖＭｐである。これらポートのＮ個のアンテナエレメントへのマッピングは、ｅＮＢの実装の問題であり、よってワイヤレスデバイスにとっては可視的ではない。ワイヤレスデバイスは、Ｎの値すら知らず、ポートＭの個数の値を知るのみである。
【００１１】
ＬＴＥリリース１２以前のワイヤレスデバイス向けには、１Ｄポートレイアウトについてについての符号ブックのフィードバックのみがサポートされており、アンテナポートは２、４又は８個である。よって、符号ブックは、それらポートが直線上に並ぶことを前提として設計される。ＬＴＥリリース１３では、２Ｄポートレイアウトのための符号ブックが、８、１２又は１６個のアンテナポートのケースについて規格化された。加えて、ＬＴＥリリース１３では、１６個のアンテナポートのケースのための符号ブック１Ｄポートレイアウトもまた規格化された。２Ｄポートレイアウトについて規格化されたリリース１３の符号ブックは、アンテナポートの水平アレイ及び垂直アレイ向けに適合されたプリコーダの組み合わせとして解釈され得る。これは、そのプリコーダ（の少なくとも一部）を次の関数として記述できることを意味する
【００１２】
【数１】
2020502848.tif 000003
【００１３】
式２〜式３において、パラメータＮ１及びＮ２は、それぞれ第１の次元及び第２の次元におけるポートの数を表す。１Ｄポートレイアウトについては、Ｎ２＝１であり、式３におけるｕｍは１になる。留意すべきこととして、第１の次元は水平次元又は垂直次元のいずれかであり、第２の次元は他方の次元を表すであろう。言い換えると、図５の表記を用いれば、２つの可能性：（１）Ｎ１＝ＭｈでありＮ２＝Ｍｖ、（２）Ｎ１＝ＭｖでありＮ２＝Ｍｈが存在し得るはずであり、図５は、Ｎｈ＝４個の水平アンテナエレメント及びＮｖ＝８個の垂直アンテナエレメントを伴う交差偏波アンテナエレメント（Ｎｐ＝２）の２次元アンテナアレイを示しており、図５の右側には、２つの垂直ポート及び４つの水平ポートを伴う実際のポートレイアウトが示されている。これは、例えば、４つの垂直アンテナエレメントにより各ポートを仮想化することにより取得される。よって、交差偏波ポートが存在すると仮定すると、ワイヤレスデバイスは、この例では１６個のアンテナポートを測定することになる。
【００１４】
式２〜式３におけるＯ１及びＯ２というパラメータは、それぞれ次元１及び２におけるビーム空間オーバサンプリングファクタを表す。Ｎ１、Ｎ２、Ｏ１及びＯ２の値は、無線リソース制御（ＲＲＣ）シグナリングにより構成される。所与の数のＣＳＩ−ＲＳポートについての（Ｏ１，Ｏ２）及び（Ｎ１，Ｎ２）のサポートされる構成は、３ＧＰＰ  ＴＳ  ３６．２１３（Technical  Specification  Group  Radio  Access  Network,  Evolved  Universal  Terrestrial  Radio  Access  (E-UTRA);  Physical  layer  procedures  (Release  13);  V13.0.1  (2016-01)）のテーブル７．２．４−１７において与えられており、それを以下の表１に転記する。
【００１５】
【表１】
2020502848.tif 000004
【００１６】
式２における数量を用いて定義されるＬＴＥリリース１３の符号ブックの詳細は、３ＧＰＰ  ＴＳ  ３６．２１３のテーブル７．２．４−１０、７．２．４−１１、７．２．４−１２、７．２．４−１３、７．２．４−１４、７．２．４−１５、７．２．４−１６及び７．２．４−１７において見出すことができる。
【００１７】
［非ゼロ電力チャネル状態情報リファレンスシンボル（ＮＺＰ  ＣＳＩ−ＲＳ）］
ＬＴＥリリース１０では、チャネル状態情報を推定する意図のために、ＮＺＰ  ＣＳＩ−ＲＳという新たなリファレンスシンボルシーケンスが導入された。ＮＺＰ  ＣＳＩ−ＲＳは、上記目的で過去のリリースにおいて使用されたセル固有リファレンスシンボル（ＣＲＳ）にＣＳＩフィードバックを基づかせることに対していくつもの利点を提供する。第一に、ＮＺＰ  ＣＳＩ−ＲＳは、データ信号の復調のためには使用されず、よって同じ密度を要しない（即ち、実質的にＮＺＰ  ＣＳＩ−ＲＳのオーバヘッドはより少ない）。第二に、ＮＺＰ  ＣＳＩ−ＲＳは、ＣＳＩフィードバック測定を構成するための、格段に高い柔軟性のある手段を提供する（例えば、どのＮＺＰ  ＣＳＩ−ＲＳリソースを測定すべきかを、ワイヤレスデバイスに固有のやり方で構成することができる）。
【００１８】
ＮＺＰ  ＣＳＩ−ＲＳ上で測定を行うことにより、ワイヤレスデバイスは、ＮＺＰ  ＣＳＩ−ＲＳが横切る実効的なチャネルを、無線伝播チャネル及びアンテナ利得を含めて推定することができる。より数学的に厳密にいうと、これは、既知のＮＺＰ  ＣＳＩ−ＲＳ信号Ｘが送信される場合にワイヤレスデバイスが送信信号と受信信号との間の連結（即ち、実効的なチャネル）を推定できることを示唆する。よって、送信において仮想化が行われない場合、受信信号ｙを次のように表現することができ、
ｙ＝Ｈｘ＋ｅ                式４
ワイヤレスデバイスは実効チャネルＨを推定し得る。ＬＴＥリリース１１のワイヤレスデバイスについては、８つまでのＮＺＰ  ＣＳＩ−ＲＳポートを構成することができ、即ち、ＬＴＥリリース１１において、ワイヤレスデバイスは、そのために８つまでの送信アンテナポートからのチャネルを推定することができる。
【００１９】
ＬＴＥリリース１２までは、ＮＺＰ  ＣＳＩ−ＲＳは、２つの連続するＲＥ上に２つのアンテナポートを重ねるために、長さ２の直交カバー符号（ＯＣＣ）を利用する。長さ２のＯＣＣは、直交符号［１  １］及び［１  −１］のペアにより実現され得る。本文書を通じて、ＯＣＣは、代替的に符号分割多重化（ＣＤＭ）として言及される。長さＮのＯＣＣは、ＯＣＣ−Ｎ又はＣＤＭ−Ｎのいずれかとして言及されてよく、Ｎは２、４又は８という値をとり得る。
【００２０】
図６に見られるように、多くの異なるＮＺＰ  ＣＳＩ−ＲＳパターンが利用可能であり、図６は、当分野においてよく知られている通りの、（それぞれの網掛けにより区別される）ＵＥ固有ＲＳ、（ＣＳＩ−ＲＳアンテナポートに対応する番号でマーク付けされる）ＣＳＩ−ＲＳ、及び（それぞれの網掛けにより区別される）ＣＲＳについての潜在的な位置を示すＲＢペア上のリソースエレメントグリッドを示している。２ＣＳＩ−ＲＳアンテナポートのケースについては、１サブフレームの範囲で２０個の異なるパターンが存在する。４ＣＳＩ−ＲＳアンテナポート及び８ＣＳＩ−ＲＳアンテナポートについて、それぞれ、対応するパターン数は１０個及び５個である。時分割複信（ＴＤＤ）については、いくつかの追加的なＣＳＩ−ＲＳパターンが利用可能である。
【００２１】
ＣＳＩ−ＲＳのためのリファレンス信号シーケンスは、３ＧＰＰ  ＴＳ  ３６．２１１（Technical  Specification  Group  Radio  Access  Network;  Evolved  Universal  Terrestrial  Radio  Access  (E-UTRA);  Physical  channels  and  modulation  (Release  13);  V13.0.0  (2015-12)）のセクション６．１０．５．１において、次のように定義されている
【００２２】
【数２】
2020502848.tif 000005
【００２３】
ここで、ｎｓは無線フレームの範囲内のスロット番号であり、ｌはスロットの範囲内のＯＦＤＭシンボル番号である。疑似ランダムシーケンスｃ（ｉ）は、それぞれ［２］３ＧＰＰ  ＴＳ  ３６．２１１（Technical  Specification  Group  Radio  Access  Network;  Evolved  Universal  Terrestrial  Radio  Access  (E-UTRA);  Physical  channels  and  modulation  (Release  13);  V13.0.0  (2015-12)）のセクション７．２及び６．１０．５．１に従って生成され及び初期化される。さらに、式５において、ＮＲＢｍａｘ，ＤＬ＝１１０は、規格書３ＧＰＰ  ＴＳ  ３６．２１１（Technical  Specification  Group  Radio  Access  Network,  Evolved  Universal  Terrestrial  Radio  Access  (E-UTRA);  Physical  channels  and  modulation  (Release  13);  V13.0.0  (2015-12)）によりサポートされる最大ダウンリンク帯域幅構成である。
【００２４】
ＬＴＥリリース１３では、ＮＺＰ  ＣＳＩ−ＲＳリソースは、１２ポート及び１６ポートを含むように拡張されている。そうしたリリース１３のＮＺＰ  ＣＳＩ−ＲＳリソースは、レガシーの４ポートＣＳＩ−ＲＳリソースを３つ統合（１２ポートのＮＺＰ  ＣＳＩ−ＲＳリソースを形成）し、又は、レガシーの８ポートＣＳＩ−ＲＳリソースを２つ統合（１６ポートのＮＺＰ  ＣＳＩ−ＲＳリソースを形成）することにより得られる。留意すべきこととして、共に統合される全てのＮＺＰ  ＣＳＩ−ＲＳリソースは、同一のサブフレーム内に位置する。図７に１２ポート及び１６ポートのＮＺＰ  ＣＳＩ−ＲＳリソースの例が示されている。図７は、（ａ）３つの４ポートリソースを統合して１２ポートＮＺＰ  ＣＳＩ−ＲＳリソースを形成する例、（ｂ）２つの８ポートリソースを統合して１６ポートＮＺＰ  ＣＳＩ−ＲＳリソースを形成する例、を示しており、統合される４ポートリソース及び８ポートの各々に同じ番号がラベル付けされている。所与のサブフレームにおいて、３つの１２ポートリソース構成（即ち、１０個の４ポートリソースのうちの９個が使用される）及び２つの１６ポートリソース構成（即ち、５個の８ポートリソースのうちの４個が使用される）を有することが可能である。統合されるＮＺＰ  ＣＳＩ−ＲＳリソースについて、次のポート付番法が使用される：
・（１６個のＮＺＰ  ＣＳＩ−ＲＳポートについて）統合されるポート番号は、１５，１６，１７，１８，１９，２０，２１，２２，２３，２４，２５，２６，２７，２８，２９，３０である；
・（１２個のＮＺＰ  ＣＳＩ−ＲＳポートについて）統合されるポート番号は、１５，１６，１７，１８，１９，２０，２１，２２，２３，２４，２５，２６である。
【００２５】
加えて、リリース１３のＮＺＰ  ＣＳＩ−ＲＳの設計は、異なる２つのＯＣＣ長をサポートする。１２ポートＮＺＰ  ＣＳＩ−ＲＳ及び１６ポートＮＺＰ  ＣＳＩ−ＲＳの双方について、ＯＣＣ長２及び４を用いてアンテナポートを多重化することができる。
【００２６】
［ＯＣＣ長２でのＮＺＰ  ＣＳＩ−ＲＳの設計］
図８は、ＯＣＣ長が２である１２ポートのケースについてのＮＺＰ  ＣＳＩ−ＲＳの設計を示しており、異なる４ポートリソースがアルファベットＡ〜Ｊにより表されている。図８では、異なる４ポートＮＺＰ  ＣＳＩ−ＲＳリソースは、アルファベットＡ〜Ｊにより表されている。例えば、４ポートリソースＡ、Ｆ及びＪが１２ポートＮＺＰ  ＣＳＩ−ＲＳリソースを形成するために統合され得るであろう。長さ２のＯＣＣが、同じサブキャリアインデックスであって隣り合うＯＦＤＭシンボルインデックスを有する２つのＲＥをまたいで適用される（例えば、スロット０内のＯＦＤＭシンボルインデックス５〜６かつサブキャリアインデックス９にＯＣＣ２が適用される）。
【００２７】
図９は、ＯＣＣ長が２である１６ポートのケースについてのＮＺＰ  ＣＳＩ−ＲＳの設計を示しており、異なる８ポートリソースが図９の凡例で示されていて、同一のアルファベットを有するリソースエレメントが各８ポートリソース内で１つのＣＤＭグループを形成する。図９では、異なる８ポートＮＺＰ  ＣＳＩ−ＲＳリソースは、凡例の通りである。例えば、８ポートＮＺＰ  ＣＳＩ−ＲＳリソース１及び３が１６ポートＮＺＰ  ＣＳＩ−ＲＳリソースを形成するために統合され得るであろう。長さ２のＯＣＣが、同じサブキャリアインデックスであって隣り合うＯＦＤＭシンボルインデックスを有する２つのＲＥをまたいで適用される（例えば、スロット１内のＯＦＤＭシンボルインデックス２〜３かつサブキャリアインデックス７にＯＣＣ２が適用される）。
【００２８】
【数３】
2020502848.tif 000006
【００２９】
式６〜式７において、ＮＲＢＤＬはダウンリンク送信帯域幅を表し、インデックスｋ´及びｌ´は（各ＲＢの下方から開始する）サブキャリアインデックス及び（各スロットの右から開始する）ＯＦＤＭシンボルインデックスを指し示す。異なるＣＳＩ−ＲＳリソース構成に対する異なる（ｋ´，ｌ´）ペアのマッピングは、表２において与えられる。
【００３０】
【表２】
2020502848.tif 000007
【００３１】
【数４】
2020502848.tif 000008
【００３２】
【表３】
2020502848.tif 000009
【００３３】
図１０は、ＯＣＣ長が４である１２ポートのケースについてのＮＺＰ  ＣＳＩ−ＲＳの設計を示しており、４ポートリソースがアルファベットＡ〜Ｊにより表されている。図１０では、異なる４ポートＮＺＰ  ＣＳＩ−ＲＳリソースは、アルファベットＡ〜Ｊにより表されている。例えば、４ポートリソースＡ、Ｆ及びＪが１２ポートＮＺＰ  ＣＳＩ−ＲＳリソースを形成するために統合され得るであろう。長さ４のＯＣＣは、１ＣＤＭグループの範囲内で適用され、ＣＤＭグループはレガシーの４ポートＣＳＩ−ＲＳをマッピングするために使用される４つのリソースエレメントからなる。即ち、図１０において同じアルファベットでラベル付けされたリソースエレメントが、１つのＣＤＭグループを含む。長さ４のＯＣＣは、式９で与えられる。
【００３４】
【数５】
2020502848.tif 000010
【００３５】
図１１は、ＯＣＣ長が４である１６ポートのケースについてのＮＺＰ  ＣＳＩ−ＲＳの設計を示しており、異なる８ポートリソースが凡例で示されていて、同一のアルファベットを有するリソースエレメントが各８ポートＣＳＩ−ＲＳリソース内で１つのＣＤＭグループを形成する。図１１では、異なる８ポートＮＺＰ  ＣＳＩ−ＲＳリソースは、凡例の通りである。例えば、８ポートＮＺＰ  ＣＳＩ−ＲＳリソース１及び３が１６ポートＮＺＰ  ＣＳＩ−ＲＳリソースを形成するために統合され得るであろう。各８ポートリソースは、さらに、隣り合う４つのＲＥの２つのグループへ区分され、それらグループの各々がＣＤＭグループを含む。図１１では、ラベルＡ及びＢを有するＲＥが１つのレガシーの８ポートリソースを形成し、Ａ及びＢがそのリソースの範囲内のＣＤＭグループである。各ＣＤＭグループの範囲内で長さ４のＯＣＣが適用される。本文書の残りにおいて、各８ポートＮＺＰ  ＣＳＩ−ＲＳリソース構成の範囲内のラベルＡ及びＢを有するＲＥに対応するＣＤＭグループは、それぞれＣＤＭグループｉ及びｉｉとして言及される。
【００３６】
【数６】
2020502848.tif 000011
【００３７】
式１０〜式１１において、ＮＲＢＤＬはダウンリンク送信帯域幅を表し、ＮｐｏｒｔｓＣＳＩは統合ＣＳＩ−ＲＳリソースごとのアンテナポートの数を表し、インデックスｋ´及びｌ´は（各ＲＢの下方から開始する）サブキャリアインデックス及び（各スロットの右から開始する）ＯＦＤＭシンボルインデックスを指し示す。異なるＣＳＩ−ＲＳリソース構成に対する異なる（ｋ´，ｌ´）ペアのマッピングは、表２において与えられる。さらに、式１０におけるｗｐ´（ｉ）は、表４により与えられ、表４はＣＤＭ４についてのシーケンスｗｐ´（ｉ）を示している。
【００３８】
【表４】
2020502848.tif 000012
【００３９】
【数７】
2020502848.tif 000013
【発明の概要】
【００４０】
いくつかの実施形態は、有利に、ワイヤレス通信におけるチャネル変動に起因する性能ロスを低減するための、符号分割多重（ＣＤＭ）統合構成のための方法及びシステムを提供する。
【００４１】
ＣＤＭ−８設計におけるあるアプローチの欠点は、（１）ＣＤＭ−８グループにおける直交性のロスに起因して９個のＯＦＤＭシンボルをまたいで有意にチャネルが変動する場合に、性能のロスを被ることになること、及び（２）所要量よりも高いＣＳＩ−ＲＳオーバヘッドを有すること、を含む。他のＣＤＭ−８アプローチの他の欠点は、（１）その方式が、ＣＤＭ−８グループにおける直交性のロスに起因して９個のＯＦＤＭシンボルをまたいで有意にチャネルが変動する場合に、性能のロスを防止しないこと、及び（２）その方式が２４ポートには適しないこと、を含む。２４ポートについて、（上で議論したように）ＣＤＭ−８グループを形成するためにＣＤＭ−４統合が任意に行われる場合、図１５の例に示したようにＣＤＭ−８グループにおける直交性のロスに起因して９個のＯＦＤＭシンボルをまたいで有意にチャネルが変動するときに、やはり性能ロスがもたらされかねない。
【００４２】
本開示のいくつかの観点及びそれらの実施形態は、上記及び他の問題に対する解決策を提供し得る。第１の解決策では、レガシーＬＴＥ  ＣＳＩ−ＲＳリソースのペアに属する２つの長さ４の直交カバー符号グループを統合することにより、長さ８の直交カバー符号が達成され、そのレガシーリソースのペアは、時間ドメインにおけるチャネル変動に起因する長さ８の直交カバー符号の直交性のロスを最小化するように選択される制約付きのペアのセットから選択される。この解決策において、ネットワークノードは、ワイヤレスデバイスへ、長さ４の直交カバー符号グループの統合の際に選択されるレガシーＣＳＩ−ＲＳリソースのペア、又は、長さ４の直交カバー符号グループの統合の際に選択されるレガシーＣＳＩ−ＲＳリソースのペアを表すインデックスをシグナリングする。
【００４３】
第２の解決策では、レガシーＬＴＥ  ＣＳＩ−ＲＳリソースのペアに属する２つの長さ４の直交カバー符号グループを統合することにより、長さ８の直交カバー符号が達成され、そのレガシーリソースのペア及びその長さ４の直交カバー符号グループは、時間ドメイン及び周波数ドメインにおけるチャネル変動に起因する長さ８のカバー符号の直交性のロスを最小化するように選択される制約付きのペアのセットから選択される。この解決策において、ネットワークノードは、ワイヤレスデバイスへ、長さ４の直交カバー符号グループの統合の際に選択される１つ以上の８ポートＣＳＩ−ＲＳ構成及びＣＤＭ−４グループの組み合わせペア、又は、長さ４の直交カバー符号グループの統合の際に選択される８ポートＣＳＩ−ＲＳ構成及びＣＤＭ−４グループの組み合わせペアを表す１つ以上のインデックスをシグナリングする。
【００４４】
本開示の１つの実施形態において、帯域幅を制限しつつリファレンス信号におけるエネルギーを増加させる方法は、次のうちの少なくとも１つを含む：
ａ）第１及び第２のリファレンス信号構成を選択すること、但し次のうちの少なくとも１つを充足する：
ｉ）第１及び第２のリファレンス信号構成は、リファレンス信号構成の予め定義されるセットから選択される
ｉｉ）各リファレンス信号構成は、リソースエレメントの周波数位置及び時間位置のセットを識別する
ｉｉｉ）各リソースエレメントは、リファレンスシーケンスのエレメントに関連付けられる
ｉｖ）第１及び第２のリファレンス信号構成内の時間位置の最大時間間隔は、第１の最大間隔（first  maximum  separation）である
ｖ）予め定義されるセット内のリファレンス信号構成のあり得る全てのペアをまたいだ時間位置のうちで最も大きい最大時間間隔は、最も大きい最大間隔（largest  maximum  separation）である
ｖｉ）上記最も大きい最大時間間隔は、上記第１の最大間隔よりも大きい
ｂ）リファレンス信号シーケンスの第１及び第２のセットへ第１のカバーシーケンスを適用することにより、リファレンス信号を形成すること、但し次のうちの少なくとも１つを充足する：
ｉ）第１のリファレンス信号シーケンスは、第１のリファレンス信号構成のリファレンスエレメントの第１のサブセットに対応する
ｉｉ）第２のリファレンス信号シーケンスは、第２のリファレンス信号構成のリファレンスエレメントの第２のサブセットに対応する
ｉｉｉ）第１のカバーシーケンスは、アンテナポートに関連付けられる
ｉｖ）第１のカバーシーケンスは、カバーシーケンスのセットから選択される
ｖ）各カバーシーケンスは、そのセット内の他のあらゆるカバーシーケンスと直交する
ｃ）リファレンスエレメントの第１及び第２のサブセットにおいてリファレンス信号を送信すること。
【００４５】
本実施形態の１つの観点によれば、次のうちの少なくとも１つが充足される：第1及び第２のサブセット内の周波数位置の最大周波数間隔は、第２の最大間隔（second  maximum  separation）であり、第１及び第２のリファレンス信号構成内のリファレンスエレメントのあり得る全てのペアをまたいだ周波数位置のうちで最も大きい最大周波数間隔は、最も大きい最大間隔（largest  maximum  separation）であり、上記最も大きい最大周波数間隔は、上記第２の最大間隔よりも大きい。
【００４６】
本実施形態の１つの観点によれば、
ｄ）リソースエレメントの上記第１及び第２のサブセット内のＮ個の個別のリファレンス信号が送信される、但し次のうちの少なくとも１つを充足する：
ｉ）各リファレンス信号はアンテナポート番号に関連付けられ、それにより上記Ｎ個の個別のリファレンス信号についてのアンテナポート番号のセットが生成される
ｉｉ）上記アンテナポート番号は、セット内のどのアンテナポート番号ｎ１も、ｎ１＝ｎ２＋１又はｎ１＝ｎ２−１に従って当該セット内の他のアンテナポート番号ｎ２に関連するように、連続的である。
【００４７】
本開示の他の実施形態によれば、長さ８の直交カバー符号を用いて複数の統合されたレガシーＬＴＥ  ＣＳＩ−ＲＳリソースにおいてＣＳＩ−ＲＳポートを送信する方法がある。本開示の１つ以上の実施形態によれば、レガシーＬＴＥ  ＣＳＩ−ＲＳリソースのペアに属する２つの長さ４の直交カバー符号グループを統合することにより、長さ８の直交カバー符号が達成され、そのレガシーリソースのペアは、時間ドメインにおけるチャネル変動に起因する長さ８の直交カバー符号の直交性のロスを最小化するように選択される制約付きのペアのセットから選択される。この実施形態のある観点によれば、ネットワークノードは、ワイヤレスデバイスへ、長さ４の直交カバー符号グループの統合の際に選択されるレガシーＣＳＩ−ＲＳリソースのペア、又は、長さ４の直交カバー符号グループの統合の際に選択されるレガシーＣＳＩ−ＲＳリソースのペアを表す１つ以上のインデックスをシグナリングする。
【００４８】
本開示の１つ以上の実施形態によれば、レガシーＬＴＥ  ＣＳＩ−ＲＳリソースのペアに属する２つの長さ４の直交カバー符号グループを統合することにより、長さ８の直交カバー符号が達成され、そのレガシーリソースのペア及びその長さ４の直交カバー符号グループは、時間ドメイン及び周波数ドメインにおけるチャネル変動に起因する長さ８のカバー符号の直交性のロスを最小化するように選択される制約付きのペアのセットから選択される。この実施形態のある観点によれば、ネットワークノードは、ワイヤレスデバイスへ、長さ４の直交カバー符号グループの統合の際に選択される１つ以上の８ポートＣＳＩ−ＲＳ構成及びＣＤＭ−４グループの組み合わせペア、又は、長さ４の直交カバー符号グループの統合の際に選択される１つ以上の８ポートＣＳＩ−ＲＳ構成及びＣＤＭ−４グループの組み合わせペアを表す１つ以上のインデックスをシグナリングする。
【００４９】
本開示の１つ以上の実施形態によれば、８ポートＣＳＩ−ＲＳ構成のペア内の同じグループ番号を有する長さ４の直交カバー符号の統合が可能である。本開示の１つ以上の実施形態によれば、同じ８ポートＣＳＩ−ＲＳ構成の範囲内の長さ４の直交カバー符号グループの統合が、８ポートＣＳＩ−ＲＳ構成のペア間の長さ４の直交カバー符号の統合と併せて可能である。
【００５０】
本開示の１つの実施形態によれば、ネットワークノードが提供される。前記ネットワークノードは、処理回路を含み、前記処理回路は、サブフレーム内のリファレンス信号リソースの第１のセット及び第２のセットを選択し、リファレンス信号リソースの前記第１のセット及び前記第２のセットを前記サブフレームへ統合して、符号分割多重（ＣＤＭ）統合構成を形成する、ように構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００５１】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、処理回路は、前記ＣＤＭ統合構成をワイヤレスデバイスへ通信する、ようにさらに構成される。
【００５２】
本開示の他の観点によれば、方法が提供される。リファレンス信号リソースの前記第１のセット及び前記第２のセットである。リファレンス信号リソースの前記第１のセット及び前記第２のセットは、前記サブフレームへ統合されて、符号分割多重（ＣＤＭ）統合構成を形成する。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００５３】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。
【００５４】
本開示の他の観点によれば、ワイヤレスデバイスが提供される。前記ワイヤレスデバイスは、処理回路を含み、前記処理回路は、サブフレーム内のリファレンス信号リソースの統合された第１のセット及び第２のセットに対応するＣＤＭ統合構成を受信する、ように構成される。前記処理回路は、前記ＣＤＭ統合構成に基づいて、チャネル推定を実行する、ようにさらに構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００５５】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、前記処理回路は、前記サブフレーム内のリファレンス信号リソースの選択される前記第１のセット及び前記第２のセットを複数のアンテナポートへマッピングする、ようにさらに構成される。
【００５６】
本開示の他の観点によれば、ワイヤレスデバイスのための方法が提供される。サブフレーム内のリファレンス信号リソースの統合された第１のセット及び第２のセットに対応するＣＤＭ統合構成が受信される。前記ＣＤＭ統合構成に基づいて、チャネル推定が実行される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００５７】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、前記サブフレーム内のリファレンス信号リソースの選択される前記第１のセット及び前記第２のセットは、複数のアンテナポートへマッピングされる。
【００５８】
本開示の他の観点によれば、ネットワークノードが提供される。前記ネットワークノードは、統合処理モジュールを含み、前記統合処理モジュールは、サブフレーム内のリファレンス信号リソースの第１のセット及び第２のセットを選択し、リファレンス信号リソースの前記第１のセット及び前記第２のセットを前記サブフレームへ統合して、符号分割多重（ＣＤＭ）統合構成を形成する、ように構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００５９】
本開示の他の観点によれば、ワイヤレスデバイスが提供される。前記ワイヤレスデバイスは、チャネル処理モジュールを含み、前記チャネル処理モジュールは、サブフレーム内のリファレンス信号リソースの統合された第１のセット及び第２のセットに対応するＣＤＭ統合構成を受信する、ように構成される。前記チャネル処理モジュールは、前記ＣＤＭ統合構成に基づいて、チャネル推定を実行する、ようにさらに構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００６０】
本開示のある観点によれば、ネットワークノードが提供される。前記ネットワークノードは、処理回路を含み、前記処理回路は、サブフレーム内のリファレンス信号リソースの第１のセット及び第２のセットを選択し、前記サブフレーム内のリファレンス信号リソースの前記第１のセット及び前記第２のセットを統合して、符号分割多重（ＣＤＭ）統合構成を形成する、ように構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００６１】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。
【００６２】
この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、前記処理回路は、前記ＣＤＭ統合構成をワイヤレスデバイスへ通信する、ようにさらに構成される。この観点の１つの実施形態によれば、前記ＣＤＭ統合構成は、２つのＣＤＭ−４グループの統合である。
【００６３】
本開示の他の観点によれば、方法が提供される。サブフレーム内のリファレンス信号リソースの第１のセット及び第２のセットが選択される。リファレンス信号リソースの前記第１のセット及び前記第２のセットは、前記サブフレームへ統合されて、符号分割多重（ＣＤＭ）統合構成を形成する。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００６４】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。
【００６５】
この観点の１つの実施形態によれば、前記ＣＤＭ統合構成は、ワイヤレスデバイスへ通信される。この観点の１つの実施形態によれば、前記ＣＤＭ統合構成は、２つのＣＤＭ−４グループの統合である。
【００６６】
本開示の他の観点によれば、ワイヤレスデバイスが提供される。前記ワイヤレスデバイスは、処理回路を含み、前記処理回路は、サブフレーム内のリファレンス信号リソースの統合された第１のセット及び第２のセットに対応するＣＤＭ統合構成を受信し、前記ＣＤＭ統合構成に基づいて、チャネル推定を実行する、ように構成される。リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００６７】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。
【００６８】
この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、前記処理回路は、前記サブフレーム内のリファレンス信号リソースの選択される前記第１のセット及び前記第２のセットを複数のアンテナポートへマッピングする、ようにさらに構成される。この観点の１つの実施形態によれば、前記ＣＤＭ統合構成は、２つのＣＤＭ−４グループの統合である。
【００６９】
本開示の他の観点によれば、ワイヤレスデバイス１２のための方法が提供される。サブフレーム内のリファレンス信号リソースの統合された第１のセット及び第２のセットに対応するＣＤＭ統合構成が受信される。リファレンス信号リソースの前記第１のセット及び前記第２のセットである。前記ＣＤＭ統合構成に基づいて、チャネル推定が実行される。リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００７０】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。
【００７１】
この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。
【００７２】
この観点の１つの実施形態によれば、前記ＣＤＭ統合構成は、２つのＣＤＭ−４グループの統合である。この観点の１つの実施形態によれば、前記サブフレーム内のリファレンス信号リソースの選択される前記第１のセット及び前記第２のセットは、複数のアンテナポートへマッピングされる。
【００７３】
本開示の他の観点によれば、ネットワークノードが提供される。前記ネットワークノードは、統合処理モジュールを含み、前記統合処理モジュールは、サブフレーム内のリファレンス信号リソースの第１のセット及び第２のセットを選択し、リファレンス信号リソースの前記第１のセット及び前記第２のセットを前記サブフレームへ統合して、符号分割多重（ＣＤＭ）統合構成を形成する、ように構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００７４】
本開示のある観点によれば、ワイヤレスデバイスが提供される。前記ワイヤレスデバイスは、チャネル処理モジュールを含み、前記チャネル処理モジュールは、サブフレーム内のリファレンス信号リソースの統合された第１のセット及び第２のセットに対応するＣＤＭ統合構成を受信し、前記ＣＤＭ統合構成に基づいて、チャネル推定を実行する、ように構成される。リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【００７５】
この観点の１つの実施形態によれば、前記チャネル処理モジュールは、前記ＣＤＭ統合構成をワイヤレスデバイスへ通信する、ようにさらに構成される。この観点の１つの実施形態によれば、前記ＣＤＭ統合構成は、ワイヤレスデバイスへ通信される。
【図面の簡単な説明】
【００７６】
本実施形態並びに付随する利点及びその特徴のより十分な理解が、添付図面と併せて考慮された場合に、以下の詳細な説明を参照することにより一層容易に得られるであろう。
【図１】基本的なＬＴＥのダウンリンク物理リソースを示している。
【図２】ＬＴＥの時間ドメイン構造を示している。
【図３】ダウンリンクサブフレーム内の物理リソースブロックを示している。
【図４】ＬＴＥにおけるプリコーデッド空間多重化モードの送信構造を示している。
【図５】２次元アンテナアレイのエレメントを示している。
【図６】リソースエレメントグリッドを示している。
【図７】ａ−ｂは、３つの４ポートリソースを統合して１２ポートＮＺＰ  ＣＳＩ−ＲＳリソースを形成する例、及び２つの８ポートリソースを統合して１６ポートＮＺＰ  ＣＳＩ−ＲＳリソースを形成する例を示しており、統合される４ポートリソース及び８ポートの各々に同じ番号がラベル付けされている。
【図８】ＯＣＣ長が２の１２ポートのケースについてのＮＺＰ  ＣＳＩ−ＲＳ設計を示しており、異なる４ポートリソースがアルファベットＡ〜Ｊにより表されている。
【図９】ＯＣＣ長が２の１６ポートのケースについてのＮＺＰ  ＣＳＩ−ＲＳ設計を示しており、異なる８ポートリソースがある。
【図１０】ＯＣＣ長が４の１２ポートのケースについてのＮＺＰ  ＣＳＩ−ＲＳ設計を示しており、４ポートリソースがアルファベットＡ〜Ｊにより表されている。
【図１１】ＯＣＣ長が４である１６ポートのケースについてのＮＺＰ  ＣＳＩ−ＲＳの設計を示しており、異なる８ポートリソースが凡例で示されていて、同一のアルファベットを有するリソースエレメントが各８ポートＣＳＩ−ＲＳリソース内で１つのＣＤＭグループを形成する。
【図１２】ＣＤＭ−８パターン設計を示している。
【図１３】３２ポートの例を示している。
【図１４】ＣＤＭ−８グループパターンを示している。
【図１５】任意の手法で行われる２４ポートのＣＤＭ−４統合を示している。
【図１６】本開示のいくつかの実施形態の原理に係る、ワイヤレス通信用の符号分割多重（ＣＤＭ）統合構成のためのシステムのブロック図である。
【図１７】本開示のいくつかの実施形態の原理に係る、統合コードの統合処理の１つの例示的な実施形態のフロー図である。
【図１８】本開示のいくつかの実施形態の原理に係る、ＣＤＭ−４グループを統合することにより形成されるＣＤＭ−８グループの図である。
【図１９】性能ロスをもたらすであろうＣＤＭ−４グループの統合の図である。
【図２０】本開示のいくつかの実施形態の原理に係る、８ポートＣＳＩ−ＲＳリソースのペアをまたいだ、ＣＤＭ−４統合と組み合わせられる、８ポートＣＳＩ−ＲＳリソース内のＣＤＭ−４統合の図である。
【図２１】本開示の原理に係る、チャネルコード２４のチャネル処理の１つの例示的な実施形態のフロー図である。
【図２２】ＣＤＭ８及び３２ポートであって｛ｋ＿０，ｋ＿１，ｋ＿２，ｋ＿３｝＝｛０，４，１，３｝でのアンテナポート付番法の一例である。
【発明を実施するための形態】
【００７７】
［ＮＺＰ  ＣＳＩ−ＲＳ構成の数］
ＬＴＥリリース１３のＮＺＰ  ＣＳＩ−ＲＳ設計における１サブフレーム内の相異なる１２ポートＣＳＩ−ＲＳ構成及び１６ポートＣＳＩ−ＲＳ構成の数は、それぞれ３つ及び２つである。即ち、１２ポートのケースについて、３つの異なるＣＳＩ−ＲＳ構成を形成することができ、各構成は３つのレガシー４ポートＣＳＩ−ＲＳ構成を統合することにより形成される。これにより、１物理リソースブロック（ＰＲＢ）内でＣＳＩ−ＲＳのために利用可能な４０個のＣＳＩ−ＲＳ  ＲＥのうちの３６個のＣＳＩ−ＲＳ  ＲＥを消費することになる。１６ポートのケースについて、２つの異なるＣＳＩ−ＲＳ構成を形成することができ、各構成は２つのレガシー８ポートＣＳＩ−ＲＳ構成を統合することにより形成される。これにより、１リソースブロック（ＲＢ）内でＣＳＩ−ＲＳのために利用可能な４０個のＣＳＩ−ＲＳ  ＲＥのうちの３２個のＣＳＩ−ＲＳ  ＲＥを消費することになる。
【００７８】
［ＬＴＥリリース１４における２４及び３２ポート向けのＮＺＰ  ＣＳＩ−ＲＳ及びＣＤＭ−８］
ＬＴＥリリース１４では、２４及び３２ポートでのＮＺＰ  ＣＳＩ−ＲＳ構成が、３つ及び４つのレガシー８ポートＣＳＩ−ＲＳリソースを統合することにより達成される。例えば、２４ポートのケースでは、図９及び図１１に示した５つのレガシー８ポートリソースのうちの３つが共に統合される。リリース１４では、ＣＤＭ−２（即ち、長さ２ＯＣＣ符号）及びＣＤＭ−４（即ち、長さ４ＯＣＣ符号）の双方が、２４及び３２ポートについてサポートされる。
【００７９】
加えて、２４及び３２ポートでのＮＺＰ  ＣＳＩ−ＲＳについて、ＣＤＭ−８もまたＬＴＥリリース１４においてサポートされることになる。ＣＤＭ−８は、式１３により与えられる長さ８のＯＣＣを用いて定義され得る。リリース１４においてＣＤＭ−８を導入する主たる動機付けは、ＮＺＰ  ＣＳＩ−ＲＳ送信についてフルな電力利用をサポートすることである。
【００８０】
【数８】
2020502848.tif 000014
【００８１】
ＣＤＭ−８のパターンの設計は、Ｒ１−１６６３４１"CSI-RS  design  for  {20,24,28,32}  ports"（China  Academy  of  Telecommunications  Technology  (CATT),  3GPP  TSG  RAN  WG1  Meeting  #86,  August  22-26,  2016,  Gothenburg,  Sweden）において提案されており、図１２に転記される。図１２において同じ文字を有するＲＥは、符号分割多重（ＣＤＭ）−８グループを表す。この設計の主な欠点は、次の通りである：
【００８２】
・各ＣＤＭ−８グループが９ＯＦＤＭシンボルをまたいで（即ち、１番目のスロット内のシンボル５から２番目のスロット内のシンボル６まで）拡散される。この設計では、長さ８のＯＣＣの直交性が、時間ドメインにおけるチャネルの平坦さに依存する。即ち、チャネルは、各ＣＤＭ−８グループが拡散される９個のＯＦＤＭシンボルにわたって有意に変動すべきでない。しかしながら、実用上、チャネルはワイヤレスデバイスのモビリティ及び位相ドリフトに起因して、９ＯＦＤＭシンボルにわたって変動し得る。よって、ワイヤレスデバイスのモビリティ又は位相ドリフトに起因してチャネルが９ＯＦＤＭシンボルにわたって変動すると、これらＣＤＭ−８グループの直交性が破壊されかねない。
・上記ＣＤＭ−８設計は、余計なＣＳＩ−ＲＳオーバヘッドを有する。例えば、３２ポートのＮＺＰ  ＣＳＩ−ＲＳ設計について、この設計は、Ａ〜Ｄでラベル付けされたＣＳＩ−ＲＳ  ＲＥの全てを使用することになる。それらＣＳＩ−ＲＳ  ＲＥが５つのレガシー８ポートＣＳＩ−ＲＳリソースの全てにわたり分布していることに留意すると（即ち、図１２に示されているリソース０〜１）、それら５つのレガシー８ポートＣＳＩ−ＲＳリソースを他のワイヤレスデバイスのために使用することができず、レガシーのワイヤレスデバイスは、これらリソース内の４０個全てのＣＳＩ−ＲＳ  ＲＥを避けて物理ダウンリンク共有チャネル（ＰＤＳＣＨ）レートマッチングを行わなければならない。これは、必要とされるよりも高いＣＳＩ−ＲＳオーバヘッドをもたらすであろう（即ち、ＣＳＩ−ＲＳ  ＲＥオーバヘッドは、ＣＳＩ−ＲＳ送信信号を搬送するサブフレームにおいて１−４０／３２＝２５％増加する）。この問題は、２４ポートのＮＺＰ  ＣＳＩ−ＲＳ設計では一層悪化し、なぜなら、４０個全てのＣＳＩ−ＲＳ  ＲＥを他のワイヤレスデバイスのために使用することができないからである（即ち、ＣＳＩ−ＲＳ  ＲＥオーバヘッドは、ＣＳＩ−ＲＳ送信信号を搬送するサブフレームにおいて１−４０／２４＝６７％増加する）。
【００８３】
ＣＤＭ−８アプローチは、次の文献において提案されている：Ｒ１−１６６５１９"Performance  comparison  of  CDM-4  and  CDM-8  for  CSI-RS"（Intel  Corporation,  3GPP  TSG  RAN  WG1  Meeting  #86,  August  22-26,  2016,  Gothenburg,  Sweden）、及び、Ｒ１−１６７９９６"WF  on  CDM  aggregation  for  NP  CSI-RS"（Samsung,  Xinwei,  Ericsson,  3GPP  TSG  RAN  WG1  Meeting  #86,  August  22-26,  2016,  Gothenburg,  Sweden）。これら文献中で、ＣＤＭ−８グループは、２つの異なるレガシーの８ポートＣＳＩ−ＲＳリソース内の２つのＣＤＭ−４グループを統合することにより取得される。３２ポートの例が図１３に示されており、Ａで表されるＣＤＭ−８グループは、レガシー８ポートＣＳＩ−ＲＳリソース０からのＣＤＭ−４グループとレガシー８ポートＣＳＩ−ＲＳリソース２からのＣＤＭ−４グループとを統合することにより形成される。さらに、ＣＤＭ−４グループの統合は、ＣＳＩ−ＲＳ構成インデックスの順序でなされることが提案されている。例えば、統合されようとしている４つのレガシー８ポートＣＳＩ−ＲＳリソースがネットワークノードによりワイヤレスデバイスへ｛０，１，２，４｝としてシグナリングされる場合、レガシー８ポートＣＳＩ−ＲＳリソース０、１、２及び４は、それぞれＣＳＩ−ＲＳリソース番号ｉ＝０、ｉ＝１、ｉ＝２及びｉ＝３に対応する（なお、ＣＳＩ−ＲＳリソース番号ｉは、式１２の通り定義される）。すると、Ｒ１−１６７９９６"WF  on  CDM  aggregation  for  NP  CSI-RS"（Samsung,  Xinwei,  Ericsson,  3GPP  TSG  RAN  WG1  Meeting  #86,  August  22-26,  2016,  Gothenburg,  Sweden）における統合の基準によれば、（ｉ＝０及びｉ＝１に対応する）レガシー８ポートＣＳＩ−ＲＳリソース０及び１内のＣＤＭ−４グループが統合されて、１つのＣＤＭ−８グループを形成する。同様に、（ｉ＝２及びｉ＝３に対応する）レガシー８ポートＣＳＩ−ＲＳリソース２及び４内のＣＤＭ−４グループが統合されて、１つのＣＤＭ−８グループを形成する。これは、図１３に示したＣＤＭ−８グループのパターンに帰結する。
【００８４】
一方、Ｒ１−１６７９９６"WF  on  CDM  aggregation  for  NP  CSI-RS"（Samsung,  Xinwei,  Ericsson,  3GPP  TSG  RAN  WG1  Meeting  #86,  August  22-26,  2016,  Gothenburg,  Sweden）におけるＣＤＭ−８統合の基準によれば、統合されようとしている４つのレガシー８ポートＣＳＩ−ＲＳリソースがネットワークノードによりワイヤレスデバイスへ｛０，４，１，２｝としてシグナリングされる場合、レガシー８ポートＣＳＩ−ＲＳリソース０、４、１及び２が、それぞれＣＳＩ−ＲＳリソース番号ｉ＝０、ｉ＝１、ｉ＝２及びｉ＝３に対応する（なお、ＣＳＩ−ＲＳリソース番号ｉは、式１２の通り定義される）。すると、この統合の基準によれば、（ｉ＝０及びｉ＝１に対応する）レガシー８ポートＣＳＩ−ＲＳリソース０及び４内のＣＤＭ−４グループが統合されて、１つのＣＤＭ−８グループを形成する。同様に、（ｉ＝２及びｉ＝３に対応する）レガシー８ポートＣＳＩ−ＲＳリソース１及び２内のＣＤＭ−４グループが統合されて、１つのＣＤＭ−８グループを形成する。これは、図１４に示したＣＤＭ−８グループのパターンに帰結する。このＣＤＭ−８グルーピングに伴う欠点は、図１４においてＡ及びＤで表されるＣＤＭ−８グループが、９個のＯＦＤＭシンボルにわたって拡散されることである。よって、ワイヤレスデバイスのモビリティ又は位相ドリフトに起因してチャネルが９ＯＦＤＭシンボルにわたって変動すると、これらＣＤＭ−８グループの直交性が破壊されかねない。
【００８５】
上述したアプローチの第２の欠点は、２４ポート向けのＣＤＭ−８統合をいかにしてサポートするかである。２４ポートのＮＺＰ  ＣＳＩ−ＲＳ構成を形成するために統合されるのは、奇数個（即ち、３つ）のレガシー８ポートＣＳＩ−ＲＳリソースであることから、連続するＣＳＩ−ＲＳリソース番号を有するレガシー８ポートＣＳＩ−ＲＳリソース内のＣＤＭ−４グループを統合する上記アプローチは当てはまらない。これは、３番目のレガシー８ポートＣＳＩ−ＲＳリソースとのＣＤＭ−４統合のために使用されるはずであった４番目のレガシー８ポートＣＳＩ−ＲＳリソースの欠如に起因する。
【００８６】
図１５に示したように、２４ポートのケースでは、任意のやり方でＣＤＭ−４統合を行うことができる。しかしながら、図１５において結果として得られるＣＤＭ−８グループＣは、９個のＯＦＤＭシンボルにわたって拡散している。よって、ワイヤレスデバイスのモビリティ又は位相ドリフトに起因してチャネルが９ＯＦＤＭシンボルにわたって変動すると、このＣＤＭ−８グループの直交性が破壊されかねない。
【００８７】
本開示のいくつかの実施形態は、既存のシステムに伴う上記問題のうちの少なくともいくつかを、少なくとも部分的に、時間方向及び周波数方向におけるチャネル変動に起因する性能ロスを最小化しながらＣＤＭ−４統合を介したＣＤＭ−８設計を提供することにより解決することを狙っている。本開示のいくつかの実施形態は、ＣＳＩ−ＲＳオーバヘッドにおける何らの増加ももたらさないＣＤＭ−８設計を提供し得る（即ち、ＰＲＢごとに３２個のＣＳＩ−ＲＳ  ＲＥが３２ポートのＮＺＰ  ＣＳＩ−ＲＳのために使用されることになる）。
【００８８】
なお、本開示では３ＧＰＰ  ＬＴＥからの専門用語が使用されているものの、これは、本開示のスコープを前述したシステムのみに限定するものとして見られるべきではない。ＮＲ（New  Radio）、ＷＣＤＭＡ（Wide  Band  Code  Division  Multiple  Access）、ＷｉＭａｘ、ＵＭＢ（Ultra-Mobile  Broadband）及びＧＳＭ（Global  Systems  for  Mobile  communications）を含む他のワイヤレスシステムもまた、本開示の範囲内にカバーされるアイディアの活用から恩恵を受け得る。また、ネットワークノード及びワイヤレスデバイスなどの専門用語は、非限定的であると考えるべきであり、特にそれら２つの間の何らの階層的関係も示唆しないことに留意されたい；概して、"ｅＮｏｄｅＢ"はデバイス１であって"ワイヤレスデバイス"はデバイス２であると見なされてよく、それら２つのデバイスは何らかの無線チャネル上で互いに通信する。ここでは、ダウンリンク上のワイヤレス送信に焦点を当ててもいるが、本開示のいくつかの実施形態は、アップリンクにおいて等しく適用可能である。
【００８９】
例示的な実施形態を詳細に説明する前に、注記されることとして、それら実施形態は、ワイヤレス通信用のＣＤＭ統合構成（CDM  aggregation  configuration）に関連する装置のコンポーネント及び処理ステップの組み合わせに主として内在する。したがって、適切な場合には、コンポーネントは図中で型どおりのシンボルで表現されており、図面は、ここでの説明の恩恵を有する当業者にとって容易に明らかとなる詳細で本開示を曖昧にすることのないように、実施形態の理解に関する特定の詳細のみを示す。
【００９０】
ここで使用されるところでは、"第１"及び"第２"、"上"及び"下"などといった関係的な用語が、あるエンティティ又は要素と他のエンティティ又は要素とを単に区別するために、そうしたエンティティ又は要素間のいかなる物理的な若しくは論理的な関係若しくは順序を必ずしも要し又は示唆することなく使用され得る。
【００９１】
ここで使用されるワイヤレスデバイスとの用語は、セルラー又はモバイル通信システムにおいて、ネットワークノードとの間で及び／若しくは他のワイヤレスデバイスとの間で通信する、いかなるタイプのワイヤレスデバイスへの言及であってもよい。ワイヤレスデバイスの例は、ユーザ機器（ＵＥ）、ターゲットデバイス、デバイスツーデバイス（Ｄ２Ｄ）ワイヤレスデバイス、マシンタイプワイヤレスデバイス若しくはマシンツーマシン（Ｍ２Ｍ）通信可能なワイヤレスデバイス、ＰＤＡ、ｉＰＡＤ、タブレット、モバイル端末、スマートフォン、ラップトップ組込み機器（ＬＥＥ）、ラップトップ搭載型機器（ＬＭＥ）、ＵＳＢドングルなどである。
【００９２】
ここで使用される"ネットワークノード"との用語は、無線ネットワークノードまたは他のネットワークノードへの言及であってよく、例えば、コアネットワークノード、ＭＳＣ（Mobile  Switching  Center）、ＭＭＥ（Mobility  Management  Entity）、Ｏ＆Ｍ（Operation  and  Maintenance）、ＯＳＳ（Operation  System  Support）、ＳＯＮ、測位ノード（例えば、Ｅ−ＳＭＬＣ（Evolved  Serving  Mobile  Location  Center））、ＭＤＴ（Minimization  Drive  Test）ノードなどである。
【００９３】
ここで使用される"ネットワークノード"又は"無線ネットワークノード"との用語は、無線ネットワークに含まれるいかなる種類のネットワークノードであることもでき、それはさらに、基地局（ＢＳ）、無線基地局、基地送受信局（ＢＴＳ）、基地局コントローラ（ＢＳＣ）、無線ネットワークコントローラ（ＲＮＣ）、拡張ノードＢ（ｅＮＢ若しくはｅＮｏｄｅＢ）、ノードＢ、ＭＳＲ  ＢＳといったマルチ標準無線（ＭＳＲ）無線ノード、リレーノード、リレーを制御するドナーノード、無線アクセスポイント（ＡＰ）、送信ポイント、送信ノード、ＲＲＵ（Remote  Radio  Unit）、ＲＲＨ（Remote  Radio  Head）、ＤＡＳ（distributed  antenna  system）内のノードなどのうちの任意のものを含み得る。
【００９４】
さらに、ワイヤレスデバイス又はネットワークノードにより実行されるものとしてここで説明される機能が、複数のワイヤレスデバイス及び／又は複数のネットワークノードをまたいで分散されてもよいことに留意されたい。言い換えると、ここで説明されるネットワークノード及びワイヤレスデバイスのきのうは、単一の物理デバイスによる実行に限定されず、実際には複数の物理デバイス間で分担されることができるものと考えられる。
【００９５】
さて、同類の参照符号が同類の要素を指す図面を参照すると、図１６に示されているのは、本開示のいくつかの実施形態の原理に係る、ワイヤレス通信用の符号分割多重（ＣＤＭ）統合構成のための例示的なシステムであり、概して"１０"で特定されている。システム１０は、１つ以上の通信プロトコルを用いて１つ以上の通信ネットワークを介して互いに通信する、１つ以上のワイヤレスデバイス１２ａ〜１２ｎ（まとめてワイヤレスデバイス１２として言及される）と、１つ以上のネットワークノード１４ａ〜１４ｎ（まとめてネットワークノード１４として言及される）とを含み、ワイヤレスデバイス１２及び／又はネットワークノード１４は、ここで説明される処理を実行するように構成される。
【００９６】
ワイヤレスデバイス１２は、１つ以上の他のワイヤレスデバイス１２、ネットワークノード１４及び／又はシステム１０内の他のエレメントと通信するための１つ以上の通信インタフェース１６を含む。１つ以上の実施形態において、通信インタフェース１６は、１つ以上の送信機及び／又は１つ以上の受信機を含む。ワイヤレスデバイス１２は、処理回路１８を含む。処理回路１８は、プロセッサ２０及びメモリ２２を含む。従来型のプロセッサ及びメモリに加えて、処理回路１８は、例えば１つ以上のプロセッサ、プロセッサコア、ＦＰＧＡ（Field  Programmable  Gate  Array）及び／又はＡＳＩＣ（Application  Specific  Integrated  Circuitry）といった、処理及び／又は制御のための集積回路を含んでもよい。プロセッサ２０は、メモリ２２へアクセス（例えば、書き込み及び／又は読み出し）するように構成されてもよく、メモリ２２は、例えば、キャッシュ、バッファメモリ、ＲＡＭ（Random  Access  Memory）、ＲＯＭ（Read-Only  Memory）、光学メモリ、及び／若しくはＥＰＲＯＭ（Erasable  Programmable  Read-Only  Memory）といった、いかなる種類の揮発性の並びに／又は不揮発性のメモリを含んでもよい。そうしたメモリ２２は、プロセッサ２０により実行可能なコード、並びに／又は、例えば構成及び／若しくはノードのアドレスデータといった例えば通信に関するデータなどの他のデータを記憶する、ように構成され得る。
【００９７】
処理回路１８は、ここで説明される方法及び／若しくは処理のいずれかを制御し、並びに／又は、そうした方法及び／若しくは処理を例えばワイヤレスデバイス１２により実行させる、ように構成され得る。プロセッサ２０は、ここで説明されるワイヤレスデバイス１２の機能を実行するための１つ以上のプロセッサ２０に相当する。ワイヤレスデバイス１２は、ここで説明されるデータ、プログラム的なソフトウェアコード及び／又は他の情報を記憶するように構成されるメモリ２２を含む。１つ以上の実施形態において、メモリ２２は、チャネルコード２４を記憶する、ように構成される。例えば、チャネルコード２４は、プロセッサ２０により実行された場合に、プロセッサ２０に、図２１及びここで議論される実施形態を基準として詳細に議論される処理を行わせる命令、を含む。
【００９８】
ネットワークノード１４は、１つ以上の他のネットワークノード１４、ワイヤレスデバイス１２及び／又はシステム１０内の他のエレメントと通信するための１つ以上の通信インタフェース２６を含む。１つ以上の実施形態において、通信インタフェース２６は、１つ以上の送信機及び／又は１つ以上の受信機を含む。ネットワークノード１４は、処理回路２８を含む。処理回路２８は、プロセッサ３０及びメモリ３２を含む。従来型のプロセッサ及びメモリに加えて、処理回路２８は、例えば１つ以上のプロセッサ、プロセッサコア、ＦＰＧＡ（Field  Programmable  Gate  Array）及び／又はＡＳＩＣ（Application  Specific  Integrated  Circuitry）といった、処理及び／又は制御のための集積回路を含んでもよい。プロセッサ３０は、メモリ３２へアクセス（例えば、書き込み及び／又は読み出し）するように構成されてもよく、メモリ３２は、例えば、キャッシュ、バッファメモリ、ＲＡＭ（Random  Access  Memory）、ＲＯＭ（Read−Only  Memory）、光学メモリ、及び／若しくはＥＰＲＯＭ（Erasable  Programmable  Read−Only  Memory）といった、いかなる種類の揮発性の並びに／又は不揮発性のメモリを含んでもよい。そうしたメモリ３２は、プロセッサ３０により実行可能なコード、並びに／又は、例えば構成及び／若しくはノードのアドレスデータといった例えば通信に関するデータなどの他のデータを記憶する、ように構成され得る。
【００９９】
処理回路２８は、ここで説明される方法及び／若しくは処理のいずれかを制御し、並びに／又は、そうした方法及び／若しくは処理を例えばネットワークノード１４により実行させる、ように構成され得る。プロセッサ３０は、ここで説明されるネットワークノード１４の機能を実行するための１つ以上のプロセッサ３０に相当する。ネットワークノード１４は、ここで説明されるデータ、プログラム的なソフトウェアコード及び／又は他の情報を記憶するように構成されるメモリ３２を含む。１つ以上の実施形態において、メモリ３２は、統合コード３４を記憶する、ように構成される。例えば、統合コード３４は、プロセッサ３０により実行された場合に、プロセッサ３０に、図１７及びここで議論される実施形態を基準として詳細に議論される処理を行わせる命令、を含む。
【０１００】
図１７は、本開示のいくつかの実施形態の原理に係る、統合コード３４の統合処理の１つの例示的な実施形態のフロー図である。処理回路２８は、リソースエレメント間の間隔についての時間的基準及び周波数的基準を充足する、サブフレーム内のファレンス信号リソースの第１のセット及び第２のセットを選択する（ブロックＳ１００）。処理回路２８は、リファレンス信号リソースの上記第１のセット及び上記第２のセットをサブフレームへ統合して、ＣＤＭ統合構成を形成する、ようにさらに構成される（ブロックＳ１０２）。１つ以上の実施形態において、処理回路２８は、ＣＤＭ統合構成をワイヤレスデバイス１２へ通信する。
【０１０１】
１つ以上の実施形態（まとめて実施形態Ａとして言及される）において、ＯＦＤＭシンボルをまたいだチャネル変動に起因する性能ロスのリスクを最小化するために、レガシー８ポートＣＳＩ−ＲＳリソースのどのペアをＣＤＭ−４統合を行うために使用し得るかに関するいくつかの制約が導入される。レガシー８ポートＣＳＩ−ＲＳリソースのペアは、２つのレガシー８ポートＣＳＩ−ＲＳリソース内のＣＳＩ−ＲＳ  ＲＥの間の最大の時間間隔が６ＯＦＤＭシンボル未満に制限されるように選択される。例えば、レガシー８ポートＣＳＩ−ＲＳリソース０及び２内のＣＳＩ−ＲＳ  ＲＥは、６ＯＦＤＭシンボルという最大間隔を有する（即ち、図１１を参照すると、１番目のスロットのＯＦＤＭシンボル５内のレガシー８ポートＣＳＩ−ＲＳリソース０のＣＳＩ−ＲＳ  ＲＥは、ＯＦＤＭシンボル３内のレガシー８ポートＣＳＩ−ＲＳリソースのＣＳＩ−ＲＳ  ＲＥから、６ＯＦＤＭシンボル離れている）。これにより時間的なチャネル変動に起因する性能ロスを低減することを助けることができ、なぜなら、このアプローチによって、結果として生じるＣＤＭ−８グループ内の直交性を保証するために高々６ＯＦＤＭシンボルにわたりチャネルが不変であることのみを要するためである。ＣＤＭ−８グループを得るためにＣＤＭ−４統合を行い得るレガシー８ポートＣＳＩ−ＲＳリソースの許容されるペアのリストが表５において与えられており、表５は、ＣＤＭ−４統合のための８ポートＣＳＩ−ＲＳ構成ペアリングのリストを示す。
【０１０２】
【表５】
2020502848.tif 000015
【０１０３】
表５は、８ポートＣＳＩ−ＲＳ構成のペアを指し示しており、その順序は任意であり得る。例えば、表５の最終行に対応するペア（３，４）は、以下のケースの双方にあてはまる：
・第１の８ポートＣＳＩ−ＲＳ構成は３であり、第２の８ポートＣＳＩ−ＲＳ構成は４である；
・第１の８ポートＣＳＩ−ＲＳ構成は４であり、第２の８ポートＣＳＩ−ＲＳ構成は３である。
【０１０４】
８ポートＣＳＩ−ＲＳ構成の厳密な順序は、式１２において定義されるＣＳＩ−ＲＳリソース番号ｉにより左右される。いくつかの実施形態において、（８ポートＣＳＩ−ＲＳ構成のペアを表す）１つ以上のＣＤＭ−４統合構成インデックスが、上位レイヤシグナリングを介してネットワークノードによりワイヤレスデバイスへシグナリングされる。
【０１０５】
実施形態を用いたＣＤＭ−８設計の一例は、以下のように与えられる。ネットワークノードは、４，０，２，１という順序でレガシー８ポートＣＳＩ−ＲＳリソースを統合することにより、３２個のＮＺＰ  ＣＳＩ−ＲＳでワイヤレスデバイスを構成し、ここで、リソース４はＣＳＩリソース番号ｉ＝０に対応し、リソース１はＣＳＩリソース番号ｉ＝３に対応する（なお、ＣＳＩリソース番号ｉは式１２で定義されている）。次のステップで、ネットワークノードは、表５に与えられているレガシー８ポートＣＳＩ−ＲＳリソースの許容されるペアをまたいでＣＤＭ−４グループを統合することにより、ＣＤＭ−８グループを統合する。例えば、ネットワークノードは、表５におけるＣＤＭ−４統合構成７及び０に対応するレガシー８ポートリソースペア（２，４）及び（０，１）をまたいでＣＤＭ−４グループを統合することができる。結果として得られるＣＤＭ−８グループが図１８に示されている。図１８では、Ａ及びＢで指し示されているＣＤＭ−８グループが、８ポートＣＳＩ−ＲＳリソースペア（２，４）をまたいだＣＤＭ−４グループの統合の結果であり、Ｃ及びＤで指し示されているＣＤＭ−８グループが、８ポートＣＳＩ−ＲＳリソースペア（０，１）をまたいだＣＤＭ−４グループの統合の結果である。なお、グループＣについて図１８で強調されているように全ての４ＣＤＭ−８グループのリソースエレメントは、最大時間間隔ΔＴ＝６シンボルを有する。さらに、図１８の例に示したように、ΔＴ＝９シンボルという最大時間間隔を伴う構成ではグループは形成されない。１つ以上の実施形態において、ネットワークノード１４は、次いで、上位レイヤシグナリングを介して、ＣＤＭ−４統合構成インデックス７及び０をワイヤレスデバイス１２へ指し示す。ワイヤレスデバイスは、この信号を用いて、ＮＺＰ−ＣＳＩ−ＲＳ送信のためにＣＤＭ−８グループが使用されていることを知得し、チャネル推定を実行する。
【０１０６】
１つ以上の実施形態（まとめて実施形態Ｂとして言及される）では、表５の許容される８ポートＣＳＩ−ＲＳ構成ペアリングのリストに従った８ポートＣＳＩ−ＲＳリソース構成１及び４をまたいだＣＤＭ−４グループの統合が許容される。しかしながら、８ポートＣＳＩ−ＲＳリソース構成１及び４をまたいだＣＤＭ−４統合が図１９に示したように行われると、そのＣＤＭ−４統合又は結果として生じるＣＤＭ−８グループ（Ａを有するＣＳＩ−ＲＳ  ＲＥで示されている）は、周波数ドメインにおけるチャネル変動に悩まされかねない。図１９において統合される２つのＣＤＭ−４グループは、８サブキャリア離れている。ＣＤＭ−８グループの直交性を維持するためには、チャネルは８サブキャリアにわたって不変であることが必要であり、高い遅延拡散を伴う配備シナリオの下では、その条件は容易には満たされない。よって、（実施形態Ａでなされているような）シンボルをまたいだチャネル変動に起因する性能ロスのリスクを最小化することに加えて、周波数ドメインにおける（即ち、サブキャリアをまたいだ）チャネル変動に起因する性能ロスを制限することも重要である。
【０１０７】
実施形態Ａでは、追加的な制約が導入され、その制約上で、レガシー８ポートリソース構成のペアの範囲内のＣＤＭ−４グループを統合することができる。統合されるレガシー８ポートリソース構成のペアの範囲内の２つのＣＤＭ−４グループは、それら２つのグループ間の周波数間隔が６サブキャリアよりも大きくならないように選択される。６サブキャリアという最大間隔がここで選択されているのは、ＬＴＥリリース１３の１２ポートＮＺＰ−ＣＳＩ−ＲＳ設計のケースにおけるＯＣＣ長４の符号も６サブキャリア離れているからである（図１０参照）。ＣＤＭ−８グループを得るためのレガシー８ポートＣＳＩ−ＲＳリソースのペアの範囲内の許容されるＣＤＭ−４統合のリストが表６に与えられる。
【０１０８】
【表６】
2020502848.tif 000016
【０１０９】
表６において、ｉ及びｉｉは、それぞれレガシー８ポートＣＳＩ−ＲＳリソースの範囲内の第１及び第２のＣＤＭ−４グループを表す。
【０１１０】
留意すべきこととして、表６は、８ポートＣＳＩ−ＲＳ構成及びＣＤＭ−４グループの組み合わせペアを指し示しており、その順序は任意であり得る。例えば、表６の最終行に対応する組み合わせペア（３，ｉｉ）及び（４，ｉｉ）は、以下のケースの双方にあてはまる：
・第１の８ポートＣＳＩ−ＲＳ構成は３であり、第２の８ポートＣＳＩ−ＲＳ構成は４である；
・第１の８ポートＣＳＩ−ＲＳ構成は４であり、第２の８ポートＣＳＩ−ＲＳ構成は３である。
【０１１１】
８ポートＣＳＩ−ＲＳ構成の厳密な順序は、式１２において定義されるＣＳＩ−ＲＳリソース番号ｉにより左右される。いくつかの実施形態において、（８ポートＣＳＩ−ＲＳ構成及びＣＤＭ−４グループの組み合わせペアを表す）１つ以上のＣＤＭ−４統合構成インデックスが、上位レイヤシグナリングを介してネットワークノードによりワイヤレスデバイスへシグナリングされる。代替的な実施形態において、８ポートＣＳＩ−ＲＳ構成のペアの間で１番目のＣＤＭ−４グループのみを統合することが許容され、同様に、８ポートＣＳＩ−ＲＳ構成のペアの間で２番目のＣＤＭ−４グループのみを統合することが許容される。
【０１１２】
ＣＤＭ−８グループを得るためのレガシー８ポートＣＳＩ−ＲＳリソースのペアの範囲内の許容されるＣＤＭ−４統合の代替的なリストが表７に与えられる。
【０１１３】
【表７】
2020502848.tif 000017
【０１１４】
表７では、３つの行（行７、１０及び１５）を例外として、８ポートＣＳＩ−ＲＳ構成のペアの間で１番目のＣＤＭ−４グループのみを統合することが許容され、同様に、８ポートＣＳＩ−ＲＳ構成のペアの間で２番目のＣＤＭ−４グループのみを統合することが許容される。行７、１０及び１５に列挙された組み合わせペアを選択する理由は、これら組み合わせペアが、同じ２つのＯＦＤＭシンボル（即ち、２番目のスロット内のＯＦＤＭシンボル２〜３）内に位置し、６サブキャリアの最大周波数間隔を有するからである。
【０１１５】
さらなる代替的な実施形態において、同じ８ポートＣＳＩ−ＲＳ構成の範囲内のＣＤＭ−４グループ統合もまた許容される。いくつかのケースにおいて、同じ８ポートＣＳＩ−ＲＳ構成の範囲内のＣＤＭ−４統合は、８ポートＣＳＩ−ＲＳ構成のペアをまたいだＣＤＭ−４統合と組み合わせられてもよい。８ポートＣＳＩ−ＲＳリソースのペアをまたいだＣＤＭ−４統合と組み合わせられる、８ポートＣＳＩ−ＲＳリソースの範囲内のＣＤＭ−４統合を示す一例が図２０に示されている。図２０では、Ｃで指し示されているＣＤＭ−８グループが、同じ８ポートＣＳＩ−ＲＳ構成の範囲内のＣＤＭ−４グループ統合により形成されている。
【０１１６】
［アンテナポート付番法］
２４及び３２アンテナポート上で送信されるＣＳＩリファレンス信号について、それらアンテナポートは、ｐ＝１５，...，３８及びｐ＝１５，...，４６となる。８ポートの複数のレガシーＣＳＩ−ＲＳリソースを統合して２４又は２８ポート用のＣＳＩ−ＲＳリソースを形成する際、ワイヤレスデバイスが各アンテナポートのチャネルを正しく測定するために、ＣＳＩ−ＲＳ  ＲＥに対する各アンテナポートの間のマッピングを定義する必要がある。２４及び３２ポートを例として用いることによる複数の解決策が以下で議論される。
【０１１７】
２４個又は３２個のアンテナポートを用いるＣＳＩリファレンス信号について、同じサブフレーム内の０からＮｒｅｓＣＳＩ−１まで付番されたＮｒｅｓＣＳＩ個のＣＳＩ−ＲＳリソース構成が、合計でＮｒｅｓＣＳＩＮｐｏｒｔｓＣＳＩ個のアンテナポートをを得るために統合される。そうした統合における各ＣＳＩ−ＲＳリソース構成は、ＮｐｏｒｔｓＣＳＩ＝８個のアンテナポート及び表２におけるＣＳＩ−ＲＳ構成のうちの１つに対応する。ＮｒｅｓＣＳＩ及びＮｐｏｒｔｓＣＳＩはそれぞれ統合されるＣＳＩ−ＲＳリソースの数及び統合されるＣＳＩ−ＲＳリソース構成ごとのアンテナポートの数を表す。２４及び３２ポートＮＺＰ  ＣＳＩ−ＲＳ設計のケースについてのＮｒｅｓＣＳＩ及びＮｐｏｒｔｓＣＳＩの値は、表８において与えられる。
【０１１８】
【表８】
2020502848.tif 000018
【０１１９】
ｋｉ∈｛０，１，２，３，４｝は表２における８ポートＣＳＩ−ＲＳリソース構成のうちの１つであり、ＵＥに４つの８ポートＣＳＩ−ＲＳリソースのリスト、即ち｛ｋ０，ｋ１，ｋ２，ｋ３｝がシグナリングされるものとして、３２ポートを一例として用いる解決策が議論される。ＯＣＣ８のケース、即ち上位レイヤパラメータ'ｃｄｍＴｙｐｅ'がｃｄｍ８へ設定される場合であって、ＮｒｅｓＣＳＩ＝４個のＣＳＩ−ＲＳリソース構成のリスト｛ｋ０，ｋ１，ｋ２，ｋ３｝について、当該リストは、ｍ０＝ｋ０であって、ｍ１は実施形態Ａにおいて議論した制約をＣＳＩ−ＲＳリソースのペア｛ｍ０，ｍ１｝が充足する｛ｋ１，ｋ２，ｋ３｝内の最初のエントリに対応するように、新たなリスト｛ｍ０，ｍ１，ｍ２，ｍ３｝へ並び替えられる。同様に、｛ｍ２，ｍ３｝は、ｊ＞ｉとして、ｍ３＝ｋｉかつｍ４＝ｋｊ（ｉ，ｊ∈｛１，２，３｝であるＣＳＩ−ＲＳリソースの第２のペアである。
【０１２０】
【数９】
2020502848.tif 000019
【０１２１】
【表９】
2020502848.tif 000020
【０１２２】
数量（ｋｑ´，ｌｑ´）は、表２において与えられる、ＣＳＩ−ＲＳリソース構成ｎｑ（ｑ＝０，１）の（ｋ´，ｌ´）に対応し、｛ｎ０，ｎ１｝は、ＣＤＭ８について使用されるＣＳＩ−ＲＳ構成のペアである。（ｎ０，ｎ１）＝（ｍ０，ｍ１）又は（ｍ２，ｍ３）である。数量（ｋ´，ｌ´）及びｎｓについての必要な条件は、表２により与えられている。ｉをＣＳＩ−ＲＳリソースのｉ番目のペア、即ち（ｍ２ｉ，ｍ２ｉ＋１）とすると、アンテナポート番号ｐと数量ｐ´との間の関係を次のように記述することができる
ｐ＝ｉ２ＮｐｏｒｔｓＣＳＩ＋ｐ´      式１４
ここで、ＣＳＩ−ＲＳリソースのｉ番目のペア（ｍ２ｉ，ｍ２ｉ＋１）について、ｐ´∈｛１５，１６，...，１５＋２ＮｐｏｒｔｓＣＳＩ−１｝であり、ｉ∈｛０，１｝、ＮｐｏｒｔｓＣＳＩ＝８である。
【０１２３】
図２１は、本開示の原理に係る、チャネルコード２４のチャネル処理の１つの例示的な実施形態のフロー図である。処理回路１８は、リソースエレメント間の間隔についての時間的基準及び周波数的基準を充足する、サブフレーム内のファレンス信号リソースの統合される第１のセット及び第２のセットに対応するＣＤＭ統合構成を受信する（ブロックＳ１０４）。サブフレーム内の複数のシンボルにわたる少なくとも１つのチャネル変動に起因する性能ロスを低減するために、上記サブフレーム内のリファレンス信号リソースの選択される第１のセット及び第２のセットは、上記サブフレームにおいて複数のシンボルにわたる少なくとも１つのチャネル変動に起因する性能ロスを低減するように構成される。処理回路１８は、上記ＣＤＭ統合構成に基づいて、チャネル推定を実行する（ブロックＳ１０６）。
【０１２４】
図２２は、ＣＤＭ８及び３２ポートであって｛ｋ０，ｋ１，ｋ２，ｋ３｝＝｛０，４，１，３｝でのアンテナポート付番法の一例を示している。実施形態Ａにおいて議論した制約を充足するために、ＣＳＩ−ＲＳリソース構成が｛ｍ０，ｍ１，ｍ２，ｍ３｝＝｛０，１，４，３｝のように並び替えられる。すると、１番目のＣＳＩ−ＲＳリソースペアは｛ｎ０，ｎ１｝＝（０，１）であり、２番目のペアは｛ｎ０，ｎ１｝＝（４，３）である。リソースの１番目のペア｛ｎ０，ｎ１｝＝（０，１）について、ＣＤＭ８カバー符号ｗｐ´（０），...，ｗｐ´（３）が構成０のＣＳＩ−ＲＳ  ＲＥへマッピングされ、一方でｐ´（４），...，ｗｐ´（７）が構成１のＣＳＩ−ＲＳ  ＲＥへマッピングされる。同様に、リソースの２番目のペア｛ｎ０，ｎ１｝＝（４，３）について、ＣＤＭ８カバー符号ｗｐ´（０），...，ｗｐ´（３）が構成４のＣＳＩ−ＲＳ  ＲＥへマッピングされ、一方でｐ´（４），...，ｗｐ´（７）が構成３のＣＳＩ−ＲＳ  ＲＥへマッピングされる。なお、簡明さのために、ｗｐ´の下付き文字ｐ´が図中で省略されている。アンテナポートｐを｛ｍ０，ｍ１，ｍ２，ｍ３｝＝｛０，１，４，３｝に従って導出することができ、最初の１６ポートｐ＝｛１５，...，３０｝が１番目のＣＳＩ−ＲＳリソースペア｛ｍ０，ｍ１｝＝（０，１）に関連付けられるＲＥへマッピングされ、次の１６ポートｐ＝｛３１，...，４６｝が２番目のＣＳＩ−ＲＳリソースペア｛ｍ２，ｍ３｝＝（４，３）に関連付けられるＲＥへマッピングされる。
【０１２５】
１つ以上の実施形態において、ネットワークノード１４は、統合処理モジュールを含む。統合処理モジュールは、サブフレーム内のリファレンス信号リソースの第１のセット及び第２のセットを選択する、ように構成される。統合処理モジュールは、リファレンス信号リソースの第１のセット及び第２のセットをサブフレームへ統合して、符号分割多重（ＣＤＭ）統合構成を形成する、ようにさらに構成される。上記サブフレーム内のリファレンス信号リソースの第１のセット及び第２のセットは、リファレンス信号リソースの第１のセット及び第２のセット内のどの２つのリソースエレメントも６ＯＦＤＭシンボルまでの最大時間間隔を有することになる時間的基準を充足する。上記サブフレーム内のリファレンス信号リソースの第１のセット及び第２のセットは、リファレンス信号リソースの第１のセット及び第２のセット内のどの２つのリソースエレメントも６サブキャリアまでの最大周波数間隔を有することになる周波数的基準を充足する。
【０１２６】
１つ以上の実施形態において、ワイヤレスデバイス１４は、チャネル処理モジュールを含み、当該チャネル処理モジュールは、サブフレーム内のリファレンス信号リソースの統合された第１のセット及び第２のセットに対応するＣＤＭ統合構成を受信する、ように構成される。上記ＣＤＭ統合構成は、当該ＣＤＭ統合構成に基づいて、チャネル推定を実行する、ように構成される。上記サブフレーム内のリファレンス信号リソースの第１のセット及び第２のセットは、リファレンス信号リソースの第１のセット及び第２のセット内のどの２つのリソースエレメントも６ＯＦＤＭシンボルまでの最大時間間隔を有することになる時間的基準を充足する。上記サブフレーム内のリファレンス信号リソースの第１のセット及び第２のセットは、リファレンス信号リソースの第１のセット及び第２のセット内のどの２つのリソースエレメントも６サブキャリアまでの最大周波数間隔を有することになる周波数的基準を充足する。
【０１２７】
いくつかの実施形態は以下を含む：
実施形態１Ａ．ネットワークノード（１４）であって、
処理回路２８を備え、前記処理回路２８は、
サブフレーム内の複数のシンボルにわたる少なくとも１つのチャネル変動に起因する性能ロスを低減するために、前記サブフレーム内のリファレンス信号リソースの第１のセット及び第２のセットを選択し、
リファレンス信号リソースの選択される前記第１のセット及び前記第２のセットをワイヤレスデバイスへ通信する、ように構成される、ネットワークノード１４。
【０１２８】
実施形態２Ａ．実施形態１Ａのネットワークノード１４であって、前記サブフレーム内の前記複数のシンボルにわたる前記少なくとも１つのチャネル変動は、時間的なチャネル変動を含む、ネットワークノード１４。
【０１２９】
実施形態３Ａ．実施形態１Ａ〜２Ａのいずれかのネットワークノード１４であって、前記サブフレーム内のリファレンス信号リソースの前記第１のセット及び前記第２のセットの前記選択は、前記複数のシンボルのうちの任意の２つのシンボルの間の最大時間間隔を６シンボルとして定義する時間的基準を充足する、ネットワークノード１４。
【０１３０】
実施形態４Ａ．実施形態１Ａ〜３Ａのいずれかのネットワークノード１４であって、複数のシンボルにわたる前記少なくとも１つのチャネル変動は、周波数ドメインにおけるチャネル変動を含む、ネットワークノード１４。
【０１３１】
実施形態５Ａ．実施形態１Ａ〜４Ａのいずれかのネットワークノード１４であって、前記サブフレーム内のリファレンス信号リソースの前記第１のセット及び前記第２のセットの前記選択は、前記複数のシンボルを搬送する任意の２つのサブキャリアの間の最大周波数間隔を６サブキャリアとして定義する周波数基準を充足する、ネットワークノード１４。
【０１３２】
実施形態６Ａ．実施形態１Ａ〜５Ａのいずれか１つのネットワークノード１４であって、リファレンス信号リソースの前記第１のセットは、前記リファレンス信号リソースの第１部分を含む第１のリファレンス信号構成に対応し、
リファレンス信号リソースの前記第２のセットは、リファレンス信号リソースの前記第１部分とは異なる、リファレンス信号リソースの第２の部分に対応する、ネットワークノード１４。
【０１３３】
実施形態７Ａ．実施形態６Ａのネットワークノード１４であって、前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ネットワークノード１４。
【０１３４】
実施形態８Ａ．実施形態１Ａ〜７Ａのいずれかのネットワークノード１４であって、前記サブフレーム内のリファレンス信号リソースの前記第１のセット及び前記第２のセットは、符号分割多重（ＣＤＭ）統合構成を形成するために統合される、ネットワークノード１４。
【０１３５】
実施形態９Ａ．実施形態８Ａのネットワークノードであって、前記サブフレーム内のリファレンス信号リソースの前記第１のセットは、８ポートＣＳＩ−ＲＳリソースからのリソースのサブセットを含み、
前記サブフレーム内のリファレンス信号リソースの前記第２のセットは、リファレンス信号リソースの前記第１のセットにおける前記８ポートＣＳＩ−ＲＳリソースとは異なる８ポートＣＳＩ−ＲＳリソースにおけるリソースのサブセットを含み、
前記ＣＤＭ統合構成は、長さ８の直交カバー符号を有する、ネットワークノード。
【０１３６】
実施形態１０Ａ．方法であって、
サブフレーム内の複数のシンボルにわたる少なくとも１つのチャネル変動に起因する性能ロスを低減するために、前記サブフレーム内のリファレンス信号リソースの第１のセット及び第２のセットを選択することと、
リファレンス信号リソースの選択される前記第１のセット及び前記第２のセットをワイヤレスデバイス１２へ通信することと、を含む方法。
【０１３７】
実施形態１１Ａ．請求項１０Ａの方法であって、前記サブフレーム内の前記複数のシンボルにわたる前記少なくとも１つのチャネル変動は、時間的なチャネル変動を含む、方法。
【０１３８】
実施形態１２Ａ．実施形態１０Ａ〜１１Ａのいずれかの方法であって、前記サブフレーム内のリファレンス信号リソースの前記第１のセット及び前記第２のセットの前記選択は、前記複数のシンボルのうちの任意の２つのシンボルの間の最大時間間隔を６シンボルとして定義する時間的基準を充足する、方法。
【０１３９】
実施形態１３Ａ．実施形態１０Ａ〜１２Ａのいずれかの方法であって、複数のシンボルにわたる前記少なくとも１つのチャネル変動は、周波数ドメインにおけるチャネル変動を含む、方法。
【０１４０】
実施形態１４Ａ．実施形態１０Ａ〜１３Ａのいずれかの方法であって、前記サブフレーム内のリファレンス信号リソースの前記第１のセット及び前記第２のセットの前記選択は、前記複数のシンボルを搬送する任意の２つのキャリアの間の最大周波数間隔を６サブキャリアとして定義する周波数基準を充足する、方法。
【０１４１】
実施形態１５Ａ．実施形態１０Ａ〜１４Ａのいずれか１つの方法であって、リファレンス信号リソースの前記第１のセットは、前記リファレンス信号リソースの第１部分を含む第１のリファレンス信号構成に対応し、
リファレンス信号リソースの前記第２のセットは、リファレンス信号リソースの前記第１部分とは異なる、リファレンス信号リソースの第２の部分に対応する、方法。
【０１４２】
実施形態１６Ａ．請求項１５Ａの方法であって、前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【０１４３】
実施形態１７Ａ．実施形態１０Ａ〜１６Ａのいずれかの方法であって、前記サブフレーム内のリファレンス信号リソースの前記第１のセット及び前記第２のセットは、符号分割多重（ＣＤＭ）統合構成を形成するために統合される、方法。
【０１４４】
実施形態１８Ａ．請求項１７Ａの方法であって、前記サブフレーム内のリファレンス信号リソースの前記第１のセットは、８ポートＣＳＩ−ＲＳリソースの範囲内のリソースのサブセットを含み、
前記サブフレーム内のリファレンス信号リソースの前記第２のセットは、リファレンス信号リソースの前記第１のセットにおける前記８ポートＣＳＩ−ＲＳリソースとは異なる８ポートＣＳＩ−ＲＳリソースの範囲内のリソースのサブセットを含み、
前記ＣＤＭ統合構成は、長さ８の直交カバー符号を有する、方法。
【０１４５】
実施形態１９Ａ．ワイヤレスデバイス１２であって、
処理回路１８を備え、前記処理回路１８は、
サブフレーム内の複数のシンボルにわたる少なくとも１つのチャネル変動に起因する性能ロスを低減するように構成される、前記サブフレーム内のリファレンス信号リソースの選択される第１のセット及び第２のセットの標識を受信し、
前記サブフレーム内のリファレンス信号リソースの選択される前記第１のセット及び前記第２のセットに基づいて、チャネル推定を実行する、ように構成される、ワイヤレスデバイス１２。
【０１４６】
実施形態２０Ａ．実施形態１９Ａのワイヤレスデバイス１２であって、前記サブフレーム内の前記複数のシンボルにわたる前記少なくとも１つのチャネル変動は、時間的なチャネル変動を含む、ワイヤレスデバイス１２。
【０１４７】
実施形態２１Ａ．実施形態１９Ａ〜２０Ａのいずれかのワイヤレスデバイス１２であって、前記サブフレーム内のリファレンス信号リソースの前記第１のセット及び前記第２のセットは、前記複数のシンボルのうちの任意の２つのシンボルの間の最大時間間隔を６シンボルとして定義する時間的基準を充足する、ワイヤレスデバイス１２。
【０１４８】
実施形態２２Ａ．実施形態１９Ａ〜２１Ａのいずれかのワイヤレスデバイス１２であって、複数のシンボルにわたる前記少なくとも１つのチャネル変動は、周波数ドメインにおけるチャネル変動を含む、ワイヤレスデバイス１２。
【０１４９】
実施形態２３Ａ．実施形態１９Ａ〜２２Ａのいずれかのワイヤレスデバイス１２であって、前記サブフレーム内のリファレンス信号リソースの前記第１のセット及び前記第２のセットは、前記複数のシンボルを搬送する任意の２つのキャリアの間の最大周波数間隔を６サブキャリアとして定義する周波数基準を充足する、ワイヤレスデバイス１２。
【０１５０】
実施形態２４Ａ．実施形態１９Ａ〜２３Ａのいずれか１つのワイヤレスデバイス１２であって、リファレンス信号リソースの前記第１のセットは、前記リファレンス信号リソースの第１部分を含む第１のリファレンス信号構成に対応し、
リファレンス信号リソースの前記第２のセットは、リファレンス信号リソースの前記第１部分とは異なる、リファレンス信号リソースの第２の部分に対応する、ワイヤレスデバイス１２。
【０１５１】
実施形態２５Ａ．実施形態２４Ａのワイヤレスデバイス１２であって、前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ワイヤレスデバイス１２。
【０１５２】
実施形態２６Ａ．実施形態１９Ａ〜２５Ａのいずれかのワイヤレスデバイス１２であって、前記サブフレーム内のリファレンス信号リソースの前記第１のセット及び前記第２のセットは、符号分割多重（ＣＤＭ）統合構成を形成するために統合される、ワイヤレスデバイス１２。
【０１５３】
実施形態２７Ａ．実施形態２６Ａのワイヤレスデバイス１２であって、前記サブフレーム内のリファレンス信号リソースの前記第１のセットは、８ポートＣＳＩ−ＲＳリソースの範囲内のリソースのサブセットを含み、
前記サブフレーム内のリファレンス信号リソースの前記第２のセットは、リファレンス信号リソースの前記第１のセットにおける前記８ポートＣＳＩ−ＲＳリソースとは異なる８ポートＣＳＩ−ＲＳリソースの範囲内のリソースのサブセットを含み、
前記ＣＤＭ統合構成は、長さ８の直交カバー符号を有する、ワイヤレスデバイス１２。
【０１５４】
実施形態２８Ａ．実施形態１９Ａ〜２７Ａのいずれかのワイヤレスデバイス１２であって、前記処理回路18は、前記サブフレーム内のリファレンス信号リソースの選択される前記第１のセット及び前記第２のセットを複数のアンテナポートへマッピングする、ようにさらに構成される、ワイヤレスデバイス１２。
【０１５５】
実施形態２９Ａ．方法であって、
サブフレーム内の複数のシンボルにわたる少なくとも１つのチャネル変動に起因する性能ロスを低減するように構成される、前記サブフレーム内のリファレンス信号リソースの選択される第１のセット及び第２のセットの標識を受信することと、
前記サブフレーム内のリファレンス信号リソースの選択される前記第１のセット及び前記第２のセットに基づいて、チャネル推定を実行することと、を含む方法。
【０１５６】
実施形態３０Ａ．請求項２９Ａの方法であって、前記サブフレーム内の前記複数のシンボルにわたる前記少なくとも１つのチャネル変動は、時間的なチャネル変動を含む、方法。
【０１５７】
実施形態３１Ａ．実施形態２９Ａ〜３０Ａのいずれかの方法であって、前記サブフレーム内のリファレンス信号リソースの前記第１のセット及び前記第２のセットは、前記複数のシンボルのうちの任意の２つのシンボルの間の最大時間間隔を６シンボルとして定義する時間的基準を充足する、方法。
【０１５８】
実施形態３２Ａ．実施形態２９Ａ〜３１Ａのいずれかの方法であって、複数のシンボルにわたる前記少なくとも１つのチャネル変動は、周波数ドメインにおけるチャネル変動を含む、方法。
【０１５９】
実施形態３３Ａ．実施形態２９Ａ〜３２Ａのいずれかの方法であって、前記サブフレーム内のリファレンス信号リソースの前記第１のセット及び前記第２のセットは、前記複数のシンボルを搬送する任意の２つのサブキャリアの間の最大周波数間隔を６サブキャリアとして定義する周波数基準を充足する、方法。
【０１６０】
実施形態３４Ａ．実施形態２９Ａ〜３３Ａのいずれか１つの方法であって、リファレンス信号リソースの前記第１のセットは、前記リファレンス信号リソースの第１部分を含む第１のリファレンス信号構成に対応し、
リファレンス信号リソースの前記第２のセットは、リファレンス信号リソースの前記第１部分とは異なる、リファレンス信号リソースの第２の部分に対応する、方法。
【０１６１】
実施形態３５Ａ．実施形態３４Ａの方法であって、前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【０１６２】
実施形態３６Ａ．実施形態２９Ａ〜３５Ａのいずれかの方法であって、前記サブフレーム内のリファレンス信号リソースの前記第１のセット及び前記第２のセットは、符号分割多重（ＣＤＭ）統合構成を形成するために統合される、方法。
【０１６３】
実施形態３７Ａ．実施形態３６Ａの方法であって、前記サブフレーム内のリファレンス信号リソースの前記第１のセットは、８ポートＣＳＩ−ＲＳリソースの範囲内のリソースのサブセットを含み、
前記サブフレーム内のリファレンス信号リソースの前記第２のセットは、リファレンス信号リソースの前記第１のセットにおける前記８ポートＣＳＩ−ＲＳリソースとは異なる８ポートＣＳＩ−ＲＳリソースの範囲内のリソースのサブセットを含み、
前記ＣＤＭ統合構成は、長さ８の直交カバー符号を有する、方法。
【０１６４】
実施形態３８Ａ．実施形態２９Ａ〜３７Ａのいずれかの方法であって、前記処理回路は、前記サブフレーム内のリファレンス信号リソースの選択される前記第１のセット及び前記第２のセットを複数のアンテナポートへマッピングする、ようにさらに構成される、方法。
【０１６５】
実施形態３９Ａ．ネットワークノード１４であって、
統合処理モジュール、を備え、前記統合処理モジュールは、
サブフレーム内の複数のシンボルにわたる少なくとも１つのチャネル変動に起因する性能ロスを低減するために、前記サブフレーム内のリファレンス信号リソースの第１のセット及び第２のセットを選択し、
リファレンス信号リソースの選択される前記第１のセット及び前記第２のセットをワイヤレスデバイス１２へ通信する、ように構成される、ネットワークノード１４。
【０１６６】
実施形態４０Ａ．ワイヤレスデバイス１２であって、
チャネル処理モジュール、を備え、前記チャネル処理モジュールは、
サブフレーム内の複数のシンボルにわたる少なくとも１つのチャネル変動に起因する性能ロスを低減するように構成される、前記サブフレーム内のリファレンス信号リソースの選択される第１のセット及び第２のセットの標識を受信し、
前記サブフレーム内のリファレンス信号リソースの選択される前記第１のセット及び前記第２のセットに基づいて、チャネル推定を実行する、ように構成される、ワイヤレスデバイス１２。
【０１６７】
いくつかの他の実施形態：
本開示のある観点によれば、ネットワークノード１４が提供される。前記ネットワークノードは、処理回路１８を含み、前記処理回路１８は、サブフレーム内のリファレンス信号リソースの第１のセット及び第２のセットを選択し、前記サブフレーム内のリファレンス信号リソースの前記第１のセット及び前記第２のセットを統合して、符号分割多重（ＣＤＭ）統合構成を形成する、ように構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【０１６８】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。
【０１６９】
この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、前記処理回路２８は、前記ＣＤＭ統合構成をワイヤレスデバイス１２へ通信する、ようにさらに構成される。この観点の１つの実施形態によれば、前記ＣＤＭ統合構成は、２つのＣＤＭ−４グループの統合である。
【０１７０】
本開示の他の観点によれば、方法が提供される。サブフレーム内のリファレンス信号リソースの第１のセット及び第２のセットが選択される。リファレンス信号リソースの前記第１のセット及び前記第２のセットは、前記サブフレームへ統合されて、符号分割多重（ＣＤＭ）統合構成を形成する。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【０１７１】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。
【０１７２】
この観点の１つの実施形態によれば、前記ＣＤＭ統合構成は、ワイヤレスデバイス１２へ通信される。この観点の１つの実施形態によれば、前記ＣＤＭ統合構成は、２つのＣＤＭ−４グループの統合である。
【０１７３】
本開示の他の観点によれば、ワイヤレスデバイス１２が提供される。前記ワイヤレスデバイスは、処理回路２８を含み、前記処理回路２８は、サブフレーム内のリファレンス信号リソースの統合された第１のセット及び第２のセットに対応するＣＤＭ統合構成を受信し、前記ＣＤＭ統合構成に基づいて、チャネル推定を実行する、ように構成される。リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【０１７４】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。
【０１７５】
この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。この観点の１つの実施形態によれば、前記処理回路２８は、前記サブフレーム内のリファレンス信号リソースの選択される前記第１のセット及び前記第２のセットを複数のアンテナポートへマッピングする、ようにさらに構成される。この観点の１つの実施形態によれば、前記ＣＤＭ統合構成は、２つのＣＤＭ−４グループの統合である。
【０１７６】
本開示の他の観点によれば、ワイヤレスデバイス１２のための方法が提供される。サブフレーム内のリファレンス信号リソースの統合された第１のセット及び第２のセットに対応するＣＤＭ統合構成が受信される。リファレンス信号リソースの前記第１のセット及び前記第２のセットである。前記ＣＤＭ統合構成に基づいて、チャネル推定が実行される。リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【０１７７】
この観点の１つの実施形態によれば、リファレンス信号リソースの前記第１のセットは、第１のリファレンス信号構成の第１部分に対応する。リファレンス信号リソースの前記第２のセットは、第２のリファレンス信号構成の第２部分に対応する。この観点の１つの実施形態によれば、前記第１のリファレンス信号構成は、少なくとも第１のチャネル状態情報リファレンス信号（ＣＳＩ−ＲＳ）構成である。前記第２のリファレンス信号構成は、前記少なくとも第１のＣＳＩ−ＲＳ構成とは異なる、少なくとも第２のＣＳＩ−ＲＳ構成である。
【０１７８】
この観点の１つの実施形態によれば、前記サブフレーム内のリファレンス信号リソースの前記第１のセットは、８ポートＣＳＩ−ＲＳリソース構成からのリソースのサブセットを含む。前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含む。前記ＣＤＭ統合構成は、長さ８の直交カバー符号を有する。
【０１７９】
この観点の１つの実施形態によれば、前記ＣＤＭ統合構成は、２つのＣＤＭ−４グループの統合である。この観点の１つの実施形態によれば、前記サブフレーム内のリファレンス信号リソースの選択される前記第１のセット及び前記第２のセットは、複数のアンテナポートへマッピングされる。
【０１８０】
本開示の他の観点によれば、ネットワークノード１４が提供される。前記ネットワークノード１４は、統合処理モジュール、を含み、前記統合処理モジュールは、サブフレーム内のリファレンス信号リソースの第１のセット及び第２のセットを選択し、リファレンス信号リソースの前記第１のセット及び前記第２のセットを前記サブフレームへ統合して、符号分割多重（ＣＤＭ）統合構成を形成する、ように構成される。前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【０１８１】
本開示のある観点によれば、ワイヤレスデバイス１２が提供される。前記ワイヤレスデバイス１２は、チャネル処理モジュールを含み、前記チャネル処理モジュールは、サブフレーム内のリファレンス信号リソースの統合された第１のセット及び第２のセットに対応するＣＤＭ統合構成を受信し、前記ＣＤＭ統合構成に基づいて、チャネル推定を実行する、ように構成される。リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足する。リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する。
【０１８２】
この観点の１つの実施形態によれば、前記チャネル処理モジュールは、前記ＣＤＭ統合構成をワイヤレスデバイスへ通信する、ようにさらに構成される。この観点の１つの実施形態によれば、前記ＣＤＭ統合構成は、ワイヤレスデバイス１２へ通信される。
【０１８３】
当業者により理解されるであろうように、ここで説明した概念は、方法、データ処理システム及び／又はコンピュータプログラムプロダクトとして具現化されてよい。したがって、ここで説明した概念は、全体としてハードウェアでの実施形態、全体としてソフトウェアでの実施形態、又は、ソフトウェア及びハードウェアの側面を組み合わせた実施形態の形式をとってよく、それら全てが概して"回路"又は"モジュール"としてここで言及されている。さらに、本開示は、コンピュータにより実行可能なコンピュータプログラムコードを媒体において具現化した有形のコンピュータ使用可能な当該記憶媒体上のコンピュータプログラムプロダクトの形式をとってもよい。ハードディスク、ＣＤ−ＲＯＭ、電子記憶デバイス、光学記憶デバイス、又は磁気記憶デバイスを含めて、任意の適した有形のコンピュータ読取可能な媒体が利用されてよい。
【０１８４】
いくつかの実施形態は、フローチャートの例示、並びに／又は方法、システム及びコンピュータプログラムプロダクトのブロック図を参照しながらここで説明されている。理解されるであろうこととして、フローチャートの例示及び／又はブロック図の各ブロック、並びに、フローチャートの例示及び／又はブロック図におけるブロックの組み合わせを、コンピュータプログラム命令により実装することができる。それらコンピュータプログラム命令は、汎用コンピュータ、特殊目的のコンピュータ又は他のプログラム可能なデータ処理装置のプロセッサへ提供されてマシンを生み出し、それにより、コンピュータ又は他のプログラム可能なデータ処理装置のプロセッサを介して稼働する上記命令が、フローチャート及び／又はブロック図の１つ若しくは複数のブロックにおいて特定された機能／動作を実装するための手段を生成する。
【０１８５】
それらコンピュータプログラム命令は、コンピュータ読取可能なメモリ又は記憶媒体内に記憶されてもよく、コンピュータ読取可能なメモリ内に記憶される命令がフローチャート及び／又はブロック図の１つ若しくは複数のブロックにおいて特定された機能／動作を実装する命令手段を含む製造の品目を生み出すように、コンピュータ又は他のプログラム可能なデータ処理装置に特定のやり方で機能するように指示することができる。
【０１８６】
また、コンピュータプログラム命令は、コンピュータ又は他のプログラム可能な装置上で一連の動作ステップを実行させるように、当該コンピュータ又は他のプログラム可能なデータ処理装置へロードされて、コンピュータ実装された処理を生み出してもよく、それにより、コンピュータ又は他のプログラム可能な装置上で稼働するそれら命令は、フローチャート及び／又はブロック図の１つ若しくは複数のブロックにおいて特定された機能／動作を実装するためのステップを提供する。
【０１８７】
理解されるべきこととして、ブロック内に記述した機能／動作は、動作例において記述した順序から外れて生じてもよい。例えば、連続的に示した２つのブロックが実際には実質的に並行的に実行さてもよく、又は、それらブロックは関係する機能性／動作に依存して逆の順序で実行されることがあってもよい。図のうちのいくつかは通信の主要な方向を示すための通信経路上の矢印を含むものの、理解されるべきこととして、描かれた矢印に対して反対方向に通信が生じてもよい。
【０１８８】
ここで説明した概念の動作を遂行するためのコンピュータプログラムコードは、Ｊａｖａ（登録商標）又はＣ＋＋といったオブジェクト指向プログラミング言語で書かれてもよい。しかしながら、本開示の動作を遂行するためのコンピュータプログラムコードは、"Ｃ"プログラミング言語といった旧来の手続型のプログラミング言語で書かれてもよい。そのプログラムコードは、全体としてユーザのコンピュータ上で、部分的にユーザのコンピュータ上で、スタンドアローンのソフトウェアパッケージとして、部分的にユーザのコンピュータ上で及び部分的にリモートコンピュータ上で、又は、全体としてリモートコンピュータ上で稼働してよい。後者のシナリオにおいて、リモートコンピュータは、ＬＡＮ（local  area  network）若しくはＷＡＮ（wide  area  network）を通じてユーザのコンピュータへ接続されてもよく、又は、その接続は、（例えば、インターネットサービスプロバイダを用いてインターネットを通じて）外部コンピュータへなされてもよい。
【０１８９】
多くの異なる実施形態が、上の説明及び図面に関連してここで開示されている。理解されるであろうこととして、それら実施形態のあらゆる組み合わせ及び副次的な組み合わせをそのまま記述し及び説明することは、過度に冗長的で分かりにくいはずである。したがって、全ての実施形態は、いかなる手法で及び／又は組み合わせで組み合わされてもよく、本明細書は、図面を含めて、ここで説明した実施形態の全ての組み合わせ及び副次的な組み合わせについて並びにそれらを活用するやり方及び処理について完全に記述した説明を構成するものと解釈されるものとし、そうしたいかなる組み合わせ又は副次的な組み合わせに関する請求項をもサポートするものとする。
【０１９０】
当業者により認識されるであろうこととして、ここで説明した実施形態は、これまでに具体的に示し説明したものには限定されない。加えて、上で別段の言及がなされていない限り、添付図面の全ては等尺ではないことに留意すべきである。上の教示を踏まえて、多様な修正及び変形が可能であり、それらは次の特許請求の範囲によってのみ限定される。
【図１】
2020502848.tif 000021
【図２】
2020502848.tif 000022
【図３】
2020502848.tif 000023
【図４】
2020502848.tif 000024
【図５】
2020502848.tif 000025
【図６】
2020502848.tif 000026
【図７】
2020502848.tif 000027
【図８】
2020502848.tif 000028
【図９】
2020502848.tif 000029
【図１０】
2020502848.tif 000030
【図１１】
2020502848.tif 000031
【図１２】
2020502848.tif 000032
【図１３】
2020502848.tif 000033
【図１４】
2020502848.tif 000034
【図１５】
2020502848.tif 000035
【図１６】
2020502848.tif 000036
【図１７】
2020502848.tif 000037
【図１８】
2020502848.tif 000038
【図１９】
2020502848.tif 000039
【図２０】
2020502848.tif 000040
【図２１】
2020502848.tif 000041
【図２２】
2020502848.tif 000042
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
ネットワークノード（１４）であって、
処理回路（１８）を備え、前記処理回路（１８）は、
サブフレーム内のリファレンス信号リソースの第１のセット及び第２のセットを選択し、
前記サブフレーム内のリファレンス信号リソースの前記第１のセット及び前記第２のセットを統合して、少なくとも２４個のチャネルシステム情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ネットワークノード（１４）。
【請求項２】
請求項１のネットワークノード（１４）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ネットワークノード（１４）。
【請求項３】
請求項２のネットワークノード（１４）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ネットワークノード（１４）。
【請求項４】
請求項１〜３のいずれか１項のネットワークノード（１４）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ネットワークノード（１４）。
【請求項５】
請求項１〜４のいずれか１項のネットワークノード（１４）であって、
前記処理回路（２８）は、前記ＣＤＭ統合構成をワイヤレスデバイス（１２）へ通信する、ようにさらに構成される、ネットワークノード（１４）。
【請求項６】
請求項１〜５のいずれか１項のネットワークノード（１４）であって、
前記ＣＤＭ統合構成は、２つのＣＤＭ−４グループの統合である、ネットワークノード（１４）。
【請求項７】
方法であって、
サブフレーム内のリファレンス信号リソースの第１のセット及び第２のセットを選択すること（Ｓ１００）と、
リファレンス信号リソースの前記第１のセット及び前記第２のセットを前記サブフレームへ統合して、少なくとも２４個のチャネルシステム情報リファレンス信号（ＣＳＩ−ＲＳ）アンテナポート向けのＣＤＭ−８設計のための符号分割多重（ＣＤＭ）統合構成を形成すること（Ｓ１０２）と、を含み、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項８】
請求項７の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項９】
請求項８の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項１０】
請求項７〜９のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項１１】
請求項７〜１０のいずれか１項の方法であって、前記ＣＤＭ統合構成をワイヤレスデバイス（１２）へ通信すること、をさらに含む、方法。
【請求項１２】
請求項７〜１１のいずれか１項のネットワークノードであって、
前記ＣＤＭ統合構成は、２つのＣＤＭ−４グループの統合である、ネットワークノード。
【請求項１３】
ワイヤレスデバイス（１２）であって、
処理回路（２８）を備え、前記処理回路（２８）は、
サブフレーム内のリファレンス信号リソースの統合された第１のセット及び第２のセットに対応する、少なくとも２４個のチャネルシステム情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ワイヤレスデバイス（１２）。
【請求項１４】
請求項１３のワイヤレスデバイス（１２）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ワイヤレスデバイス（１２）。
【請求項１５】
請求項１４のワイヤレスデバイス（１２）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ワイヤレスデバイス（１２）。
【請求項１６】
請求項１３〜１５のいずれか１項のワイヤレスデバイス（１２）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ワイヤレスデバイス（１２）。
【請求項１７】
請求項１３〜１６のいずれかのワイヤレスデバイス（１２）であって、
前記処理回路（２８）は、前記サブフレーム内のリファレンス信号リソースの選択される前記第１のセット及び前記第２のセットを複数のアンテナポートへマッピングする、ようにさらに構成される、ワイヤレスデバイス（１２）。
【請求項１８】
請求項１３〜１７のいずれか１項のワイヤレスデバイス（１２）であって、
前記ＣＤＭ統合構成は、２つのＣＤＭ−４グループの統合である、ワイヤレスデバイス（１２）。
【請求項１９】
ワイヤレスデバイス（１２）のための方法であって、
リファレンス信号リソースの第１のセット及び第２のセットである、サブフレーム内のリファレンス信号リソースの統合された第１のセット及び第２のセットに対応する、少なくとも２４個のチャネルシステム情報リファレンス信号（ＣＳＩ−ＲＳ）アンテナポート向けのＣＤＭ−８設計のための符号分割多重（ＣＤＭ）統合構成を受信すること（Ｓ１０４）と、
前記ＣＤＭ統合構成に基づいて、チャネル推定を実行すること（Ｓ１０６）と、を含み、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項２０】
請求項１９の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項２１】
請求項２０の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項２２】
請求項１９〜２１のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項２３】
請求項１９〜２２のいずれか１項の方法であって、
前記ＣＤＭ統合構成は、２つのＣＤＭ−４グループの統合である、方法。
【請求項２４】
請求項１９〜２３のいずれかの方法であって、前記サブフレーム内のリファレンス信号リソースの選択される前記第１のセット及び前記第２のセットを複数のアンテナポートへマッピングこと、をさらに含む、方法。
【請求項２５】
ネットワークノード（１４）であって、
統合処理モジュール、を備え、前記統合処理モジュールは、
サブフレーム内のリファレンス信号リソースの第１のセット及び第２のセットを選択し、
リファレンス信号リソースの前記第１のセット及び前記第２のセットを前記サブフレームへ統合して、少なくとも２４個のチャネルシステム情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ネットワークノード（１４）。
【請求項２６】
ワイヤレスデバイス（１４）であって、
チャネル処理モジュール、を備え、前記チャネル処理モジュールは、
サブフレーム内のリファレンス信号リソースの統合された第１のセット及び第２のセットに対応する、少なくとも２４個のチャネルシステム情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ワイヤレスデバイス（１４）。
【請求項２７】
請求項１〜６のいずれかのネットワークノード（１４）であって、
前記処理回路（２８）は、前記ＣＤＭ統合構成をワイヤレスデバイス（１２）へ通信する、ようにさらに構成される、ネットワークノード（１４）。
【請求項２８】
請求項７〜１２のいずれかの方法であって、前記ＣＤＭ統合構成をワイヤレスデバイス（１２）へ通信すること、をさらに含む、方法。
【請求項２９】
基地局（１４）であって、
処理回路（１８）を備え、前記処理回路（１８）は、
サブフレーム内のリファレンス信号リソースの第１のセット及び第２のセットを選択し、
前記サブフレーム内のリファレンス信号リソースの前記第１のセット及び前記第２のセットを統合して、少なくとも２４個のチャネルシステム情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、基地局（１４）。
【請求項３０】
請求項２９の基地局（１４）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、基地局（１４）。
【請求項３１】
請求項３０の基地局（１４）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、基地局（１４）。
【請求項３２】
請求項２９〜３１のいずれか１項の基地局（１４）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、基地局（１４）。
【請求項３３】
請求項２９〜３２のいずれか１項の基地局（１４）であって、
前記処理回路（２８）は、前記ＣＤＭ統合構成をユーザ機器（１２）へ通信する、ようにさらに構成される、基地局（１４）。
【請求項３４】
請求項２９〜３３のいずれか１項の基地局（１４）であって、
前記ＣＤＭ統合構成は、２つのＣＤＭ−４グループの統合である、基地局（１４）。
【請求項３５】
基地局（１４）のための方法であって、
サブフレーム内のリファレンス信号リソースの第１のセット及び第２のセットを選択すること（Ｓ１００）と、
リファレンス信号リソースの前記第１のセット及び前記第２のセットを前記サブフレームへ統合して、少なくとも２４個のチャネルシステム情報リファレンス信号（ＣＳＩ−ＲＳ）アンテナポート向けのＣＤＭ−８設計のための符号分割多重（ＣＤＭ）統合構成を形成すること（Ｓ１０２）と、を含み、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項３６】
請求項３５の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項３７】
請求項３６の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項３８】
請求項３５〜３７のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項３９】
請求項３５〜３８のいずれか１項の方法であって、前記ＣＤＭ統合構成をユーザ機器（１２）へ通信すること、をさらに含む、方法。
【請求項４０】
請求項３５〜３９のいずれか１項の方法であって、
前記ＣＤＭ統合構成は、２つのＣＤＭ−４グループの統合である、方法。
【請求項４１】
ユーザ機器（１２）であって、
処理回路（２８）を備え、前記処理回路（２８）は、
サブフレーム内のリファレンス信号リソースの統合された第１のセット及び第２のセットに対応する、少なくとも２４個のチャネルシステム情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ユーザ機器（１２）。
【請求項４２】
請求項４１のユーザ機器（１２）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ユーザ機器（１２）。
【請求項４３】
請求項４２のユーザ機器（１２）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ユーザ機器（１２）。
【請求項４４】
請求項４１〜４３のいずれか１項のユーザ機器（１２）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ユーザ機器（１２）。
【請求項４５】
請求項４１〜４４のいずれかのユーザ機器（１２）であって、
前記処理回路（２８）は、前記サブフレーム内のリファレンス信号リソースの選択される前記第１のセット及び前記第２のセットを複数のアンテナポートへマッピングする、ようにさらに構成される、ユーザ機器（１２）。
【請求項４６】
請求項４１〜４５のいずれか１項のユーザ機器（１２）であって、
前記ＣＤＭ統合構成は、２つのＣＤＭ−４グループの統合である、ユーザ機器（１２）。
【請求項４７】
ユーザ機器（１２）のための方法であって、
リファレンス信号リソースの第１のセット及び第２のセットである、サブフレーム内のリファレンス信号リソースの統合された第１のセット及び第２のセットに対応する、少なくとも２４個のチャネルシステム情報リファレンス信号（ＣＳＩ−ＲＳ）アンテナポート向けのＣＤＭ−８設計のための符号分割多重（ＣＤＭ）統合構成を受信すること（Ｓ１０４）と、
前記ＣＤＭ統合構成に基づいて、チャネル推定を実行すること（Ｓ１０６）と、を含み、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項４８】
請求項４７の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項４９】
請求項４８の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項５０】
請求項４７〜４９のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項５１】
請求項４７〜５０のいずれか１項の方法であって、
前記ＣＤＭ統合構成は、２つのＣＤＭ−４グループの統合である、方法。
【請求項５２】
請求項４７〜５１のいずれかの方法であって、前記サブフレーム内のリファレンス信号リソースの選択される前記第１のセット及び前記第２のセットを複数のアンテナポートへマッピングこと、をさらに含む、方法。
【請求項５３】
基地局（１４）であって、
統合処理モジュール、を備え、前記統合処理モジュールは、
サブフレーム内のリファレンス信号リソースの第１のセット及び第２のセットを選択し、
リファレンス信号リソースの前記第１のセット及び前記第２のセットを前記サブフレームへ統合して、少なくとも２４個のチャネルシステム情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、基地局（１４）。
【請求項５４】
ユーザ機器（１４）であって、
チャネル処理モジュール、を備え、前記チャネル処理モジュールは、
リファレンス信号リソースの第１のセット及び第２のセットである、サブフレーム内のリファレンス信号リソースの統合された第１のセット及び第２のセットに対応する、少なくとも２４個のチャネルシステム情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ユーザ機器（１４）。
【請求項５５】
請求項２９〜３４のいずれかの基地局（１４）であって、
前記処理回路（２８）は、前記ＣＤＭ統合構成をユーザ機器（１２）へ通信する、ようにさらに構成される、基地局（１４）。
【請求項５６】
請求項３５〜４０のいずれかの方法であって、前記ＣＤＭ統合構成をユーザ機器（１２）へ通信すること、をさらに含む、方法。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
ネットワークノード（１４）であって、
処理回路（１８）を備え、前記処理回路（１８）は、
サブフレーム内のリファレンス信号リソースの第１のセット及び第２のセットを選択し、
前記サブフレーム内のリファレンス信号リソースの前記第１のセット及び前記第２のセットを統合して、少なくとも２４個のチャネル状態情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ネットワークノード（１４）。
【請求項２】
請求項１のネットワークノード（１４）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ネットワークノード（１４）。
【請求項３】
請求項２のネットワークノード（１４）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ネットワークノード（１４）。
【請求項４】
請求項１〜３のいずれか１項のネットワークノード（１４）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ネットワークノード（１４）。
【請求項５】
請求項１〜４のいずれか１項のネットワークノード（１４）であって、
前記処理回路（２８）は、前記ＣＤＭ統合構成をワイヤレスデバイス（１２）へ通信する、ようにさらに構成される、ネットワークノード（１４）。
【請求項６】
請求項１〜５のいずれか１項のネットワークノード（１４）であって、
前記ＣＤＭ統合構成は、２つのＣＤＭ−４グループの統合である、ネットワークノード（１４）。
【請求項７】
方法であって、
サブフレーム内のリファレンス信号リソースの第１のセット及び第２のセットを選択すること（Ｓ１００）と、
リファレンス信号リソースの前記第１のセット及び前記第２のセットを前記サブフレームへ統合して、少なくとも２４個のチャネル状態情報リファレンス信号（ＣＳＩ−ＲＳ）アンテナポート向けのＣＤＭ−８設計のための符号分割多重（ＣＤＭ）統合構成を形成すること（Ｓ１０２）と、を含み、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項８】
請求項７の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項９】
請求項８の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項１０】
請求項７〜９のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項１１】
請求項７〜１０のいずれか１項の方法であって、前記ＣＤＭ統合構成をワイヤレスデバイス（１２）へ通信すること、をさらに含む、方法。
【請求項１２】
請求項７〜１１のいずれか１項の方法であって、
前記ＣＤＭ統合構成は、２つのＣＤＭ−４グループの統合である、方法。
【請求項１３】
ワイヤレスデバイス（１２）であって、
処理回路（２８）を備え、前記処理回路（２８）は、
サブフレーム内のリファレンス信号リソースの統合された第１のセット及び第２のセットに対応する、少なくとも２４個のチャネル状態情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ワイヤレスデバイス（１２）。
【請求項１４】
請求項１３のワイヤレスデバイス（１２）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ワイヤレスデバイス（１２）。
【請求項１５】
請求項１４のワイヤレスデバイス（１２）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ワイヤレスデバイス（１２）。
【請求項１６】
請求項１３〜１５のいずれか１項のワイヤレスデバイス（１２）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ワイヤレスデバイス（１２）。
【請求項１７】
請求項１３〜１６のいずれかのワイヤレスデバイス（１２）であって、
前記処理回路（２８）は、前記サブフレーム内のリファレンス信号リソースの選択される前記第１のセット及び前記第２のセットを複数のアンテナポートへマッピングする、ようにさらに構成される、ワイヤレスデバイス（１２）。
【請求項１８】
請求項１３〜１７のいずれか１項のワイヤレスデバイス（１２）であって、
前記ＣＤＭ統合構成は、２つのＣＤＭ−４グループの統合である、ワイヤレスデバイス（１２）。
【請求項１９】
ワイヤレスデバイス（１２）のための方法であって、
サブフレーム内のリファレンス信号リソースの統合された第１のセット及び第２のセットに対応する、少なくとも２４個のチャネル状態情報リファレンス信号（ＣＳＩ−ＲＳ）アンテナポート向けのＣＤＭ−８設計のための符号分割多重（ＣＤＭ）統合構成を受信すること（Ｓ１０４）と、
前記ＣＤＭ統合構成に基づいて、チャネル推定を実行すること（Ｓ１０６）と、を含み、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項２０】
請求項１９の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項２１】
請求項２０の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項２２】
請求項１９〜２１のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項２３】
請求項１９〜２２のいずれか１項の方法であって、
前記ＣＤＭ統合構成は、２つのＣＤＭ−４グループの統合である、方法。
【請求項２４】
請求項１９〜２３のいずれかの方法であって、前記サブフレーム内のリファレンス信号リソースの選択される前記第１のセット及び前記第２のセットを複数のアンテナポートへマッピングこと、をさらに含む、方法。
【請求項２５】
ネットワークノード（１４）であって、
統合処理モジュール、を備え、前記統合処理モジュールは、
サブフレーム内のリファレンス信号リソースの第１のセット及び第２のセットを選択し、
リファレンス信号リソースの前記第１のセット及び前記第２のセットを前記サブフレームへ統合して、少なくとも２４個のチャネル状態情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ネットワークノード（１４）。
【請求項２６】
ワイヤレスデバイス（１４）であって、
チャネル処理モジュール、を備え、前記チャネル処理モジュールは、
サブフレーム内のリファレンス信号リソースの統合された第１のセット及び第２のセットに対応する、少なくとも２４個のチャネル状態情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ワイヤレスデバイス（１４）。
【請求項２７】
請求項１〜６のいずれかのネットワークノード（１４）であって、
前記処理回路（２８）は、前記ＣＤＭ統合構成をワイヤレスデバイス（１２）へ通信する、ようにさらに構成される、ネットワークノード（１４）。
【請求項２８】
請求項７〜１２のいずれかの方法であって、前記ＣＤＭ統合構成をワイヤレスデバイス（１２）へ通信すること、をさらに含む、方法。
【請求項２９】
基地局（１４）であって、
処理回路（１８）を備え、前記処理回路（１８）は、
サブフレーム内のリファレンス信号リソースの第１のセット及び第２のセットを選択し、
前記サブフレーム内のリファレンス信号リソースの前記第１のセット及び前記第２のセットを統合して、少なくとも２４個のチャネル状態情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、基地局（１４）。
【請求項３０】
請求項２９の基地局（１４）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、基地局（１４）。
【請求項３１】
請求項３０の基地局（１４）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、基地局（１４）。
【請求項３２】
請求項２９〜３１のいずれか１項の基地局（１４）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、基地局（１４）。
【請求項３３】
請求項２９〜３２のいずれか１項の基地局（１４）であって、
前記処理回路（２８）は、前記ＣＤＭ統合構成をユーザ機器（１２）へ通信する、ようにさらに構成される、基地局（１４）。
【請求項３４】
請求項２９〜３３のいずれか１項の基地局（１４）であって、
前記ＣＤＭ統合構成は、２つのＣＤＭ−４グループの統合である、基地局（１４）。
【請求項３５】
基地局（１４）のための方法であって、
サブフレーム内のリファレンス信号リソースの第１のセット及び第２のセットを選択すること（Ｓ１００）と、
リファレンス信号リソースの前記第１のセット及び前記第２のセットを前記サブフレームへ統合して、少なくとも２４個のチャネル状態情報リファレンス信号（ＣＳＩ−ＲＳ）アンテナポート向けのＣＤＭ−８設計のための符号分割多重（ＣＤＭ）統合構成を形成すること（Ｓ１０２）と、を含み、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項３６】
請求項３５の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項３７】
請求項３６の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項３８】
請求項３５〜３７のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項３９】
請求項３５〜３８のいずれか１項の方法であって、前記ＣＤＭ統合構成をユーザ機器（１２）へ通信すること、をさらに含む、方法。
【請求項４０】
請求項３５〜３９のいずれか１項の方法であって、
前記ＣＤＭ統合構成は、２つのＣＤＭ−４グループの統合である、方法。
【請求項４１】
ユーザ機器（１２）であって、
処理回路（２８）を備え、前記処理回路（２８）は、
サブフレーム内のリファレンス信号リソースの統合された第１のセット及び第２のセットに対応する、少なくとも２４個のチャネル状態情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ユーザ機器（１２）。
【請求項４２】
請求項４１のユーザ機器（１２）であって、
リファレンス信号リソースの前記第１のセットは、第１のリファレンス信号構成の第１部分に対応し、
リファレンス信号リソースの前記第２のセットは、第２のリファレンス信号構成の第２部分に対応する、ユーザ機器（１２）。
【請求項４３】
請求項４２のユーザ機器（１２）であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、ユーザ機器（１２）。
【請求項４４】
請求項４１〜４３のいずれか１項のユーザ機器（１２）であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、ユーザ機器（１２）。
【請求項４５】
請求項４１〜４４のいずれかのユーザ機器（１２）であって、
前記処理回路（２８）は、前記サブフレーム内のリファレンス信号リソースの選択される前記第１のセット及び前記第２のセットを複数のアンテナポートへマッピングする、ようにさらに構成される、ユーザ機器（１２）。
【請求項４６】
請求項４１〜４５のいずれか１項のユーザ機器（１２）であって、
前記ＣＤＭ統合構成は、２つのＣＤＭ−４グループの統合である、ユーザ機器（１２）。
【請求項４７】
ユーザ機器（１２）のための方法であって、
サブフレーム内のリファレンス信号リソースの統合された第１のセット及び第２のセットに対応する、少なくとも２４個のチャネル状態情報リファレンス信号（ＣＳＩ−ＲＳ）アンテナポート向けのＣＤＭ−８設計のための符号分割多重（ＣＤＭ）統合構成を受信すること（Ｓ１０４）と、
前記ＣＤＭ統合構成に基づいて、チャネル推定を実行すること（Ｓ１０６）と、を含み、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、方法。
【請求項４８】
請求項４７の方法であって、
リファレンス信号リソースの前記第１のセットは、第１のリファレンス信号構成の第１部分に対応し、
リファレンス信号リソースの前記第２のセットは、第２のリファレンス信号構成の第２部分に対応する、方法。
【請求項４９】
請求項４８の方法であって、
前記第１のリファレンス信号構成は、少なくとも第１のチャネル状態情報リファレンス信号（ＣＳＩ−ＲＳ）構成であり、
前記第２のリファレンス信号構成は、前記少なくとも第１のＣＳＩ−ＲＳ構成とは異なる、少なくとも第２のＣＳＩ−ＲＳ構成である、方法。
【請求項５０】
請求項４７〜４９のいずれか１項の方法であって、
前記サブフレーム内のリファレンス信号リソースの前記第１のセットは、８ポートＣＳＩ−ＲＳリソース構成からのリソースのサブセットを含み、
前記サブフレーム内のリファレンス信号リソースの前記第２のセットは、リファレンス信号リソースの前記第１のセットに対応する前記８ポートＣＳＩ−ＲＳリソース構成とは異なる、別の８ポートＣＳＩ−ＲＳリソース構成におけるリソースのサブセットを含み、
前記ＣＤＭ統合構成は、長さ８の直交カバー符号を有する、方法。
【請求項５１】
請求項４７〜５０のいずれか１項の方法であって、
前記ＣＤＭ統合構成は、２つのＣＤＭ−４グループの統合である、方法。
【請求項５２】
請求項４７〜５１のいずれかの方法であって、前記サブフレーム内のリファレンス信号リソースの選択される前記第１のセット及び前記第２のセットを複数のアンテナポートへマッピングこと、をさらに含む、方法。
【請求項５３】
基地局（１４）であって、
統合処理モジュール、を備え、前記統合処理モジュールは、
サブフレーム内のリファレンス信号リソースの第１のセット及び第２のセットを選択し、
リファレンス信号リソースの前記第１のセット及び前記第２のセットを前記サブフレームへ統合して、少なくとも２４個のチャネル状態情報リファレンス信号（ＣＳＩ−ＲＳ）アンテナポート向けのＣＤＭ−８設計のための符号分割多重（ＣＤＭ）統合構成を形成する、ように構成され、
前記サブフレーム内のリファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
前記サブフレーム内のリファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、基地局（１４）。
【請求項５４】
ユーザ機器（１４）であって、
チャネル処理モジュール、を備え、前記チャネル処理モジュールは、
サブフレーム内のリファレンス信号リソースの統合された第１のセット及び第２のセットに対応する、少なくとも２４個のチャネル状態情報リファレンス信号（ＣＳＩ−ＲＳ）アンテナポート向けのＣＤＭ−８設計のための符号分割多重（ＣＤＭ）統合構成を受信し、
前記ＣＤＭ統合構成に基づいて、チャネル推定を実行する、ように構成され、
リファレンス信号リソースの前記第１のセット及び前記第２のセットは、リファレンス信号リソースの前記第１のセット及び前記第２のセット内のどの２つのリソースエレメントも６ＯＦＤＭシンボルまでの最大時間間隔を有することになる時間的基準を充足し、
リファレンス信号リソースの前記第１のセット及び前記第２のセットは、リファレンス信号リソースの前記第１のセット及び前記第２のセット内のどの２つのリソースエレメントも６サブキャリアまでの最大周波数間隔を有することになる周波数的基準を充足する、ユーザ機器（１４）。
【請求項５５】
請求項２９〜３４のいずれかの基地局（１４）であって、
前記処理回路（２８）は、前記ＣＤＭ統合構成をユーザ機器（１２）へ通信する、ようにさらに構成される、基地局（１４）。
【請求項５６】
請求項３５〜４０のいずれかの方法であって、前記ＣＤＭ統合構成をユーザ機器（１２）へ通信すること、をさらに含む、方法。
【国際調査報告】
2020502848.tif 000043
2020502848.tif 000044